(57)【要約】      （修正有）【課題】複数の送信／受信ポイントまたは地理的に動かされたポイントのカバレージエリア内での制御送信とデータ送信とを分離するためのワイヤレス通信のための方法、装置およびコンピュータプログラム製品を提供する。【解決手段】セル領域８２０において、マクロノード８０２／ＲＲＨ８０４〜８１０構成における制御送信とデータ送信との分離は、ＵＥが、データ送信のための送信ポイントの１つのセットと、共通制御シグナリングのための送信ポイントの同じセットまたは異なるセットとに関連付けられることを可能にする。制御送信とデータ送信との分離は、ハンドオーバプロセスを介した再構成と比較して、ＵＥデータ送信のために使用されるアンテナポートのより速い再構成をも可能にする。【選択図】図８
2018014724.tif 000002
【特許請求の範囲】
【請求項１】
マクロノードおよび前記マクロノードに結合された少なくとも１つのリモートラジオヘッド（ＲＲＨ）の方法であって、前記マクロノードおよび前記少なくとも１つのＲＲＨが、前記マクロノードのセル内で地理的に動かされた複数のポイントを備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
を備える、方法。
【請求項２】
ポイントの前記第１のサブセットが同じセル識別子を有し、ポイントの前記第１のサブセット中の各ポイントが同じ制御情報およびＣＲＳを送信する、請求項１に記載の方法。
【請求項３】
指定されたポイントから第２の制御情報および第２のＣＲＳを送信することであって、前記指定されたポイントが、前記複数のポイント中にあるがポイントの前記第１のサブセット中にないポイントであり、前記指定されポイントが、前記複数のポイント中の他のポイントとは異なるセル識別子を有する、送信することをさらに備える、請求項１に記載の方法。
【請求項４】
ポイントの前記第２のサブセットから前記ＵＥにチャネル状態情報基準信号（ＣＳＩ−ＲＳ）を送信することをさらに備える、請求項１に記載の方法。
【請求項５】
前記ＣＳＩ−ＲＳに少なくとも部分的に基づいて前記ＵＥからチャネル状態情報報告を受信することであって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信することをさらに備える、請求項４に記載の方法。
【請求項６】
ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、請求項５に記載の方法。
【請求項７】
前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、請求項１に記載の方法。
【請求項８】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項１に記載の方法。
【請求項９】
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと
前記判断されたチャネル強度および前記ＣＱＩに基づいて変調およびコーディング方式（ＭＣＳ）を判断することと、
前記ＭＣＳに基づいて前記データを変調およびコーディングすることと
をさらに備える、請求項１に記載の方法。
【請求項１０】
マクロノードおよび前記マクロノードに結合された少なくとも１つのリモートラジオヘッド（ＲＲＨ）の方法であって、前記マクロノードおよび前記少なくとも１つのＲＲＨが、前記マクロノードのセル内で地理的に動かされた複数のポイントを備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる
を備える、方法。
【請求項１１】
マクロノードおよび前記マクロノードに結合された少なくとも１つのリモートラジオヘッド（ＲＲＨ）と通信するユーザ機器（ＵＥ）の方法であって、前記マクロノードおよび前記少なくとも１つのＲＲＨが、前記マクロノードのセル内で地理的に動かされた複数のポイントを備え、
ポイントの第１のサブセットから共通基準信号（ＣＲＳ）とともに制御情報を受信することと、
ポイントの第２のサブセットからＵＥ固有復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
を備える、方法。
【請求項１２】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項１１に記載の方法。
【請求項１３】
ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
をさらに備える、請求項１１に記載の方法。
【請求項１４】
ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、請求項１１に記載の方法。
【請求項１５】
マクロノードのセル内で地理的に動かされた複数のポイントを備えるワイヤレス通信のための装置であって、前記複数のポイントが、前記マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信するための手段と、
ポイントの第２のサブセットから前記ＵＥにＵＥ固有復調基準信号（ＤＭ−ＲＳ）に基づくデータ送信を送るための手段と
をさらに備える、装置。
【請求項１６】
ポイントの前記第１のサブセットが同じセル識別子を有し、ポイントの前記第１のサブセット中の各ポイントが同じ制御情報およびＣＲＳを送信する、請求項１５に記載の装置。
【請求項１７】
指定されたポイントから第２の制御情報および第２のＣＲＳを送信するための手段であって、前記指定されたポイントが、前記複数のポイント中にあるがポイントの前記第１のサブセット中にないポイントであり、前記指定されポイントが、前記複数のポイント中の他のポイントとは異なるセル識別子を有する、送信するための手段
をさらに備える、請求項１５に記載の装置。
【請求項１８】
ポイントの前記第２のサブセットから前記ＵＥにチャネル状態情報基準信号（ＣＳＩ−ＲＳ）を送信するための手段をさらに備える、請求項１５に記載の装置。
【請求項１９】
前記ＣＳＩ−ＲＳに少なくとも部分的に基づいて前記ＵＥからチャネル状態情報報告を受信するための手段であって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信するための手段をさらに備える、請求項１８に記載の装置。
【請求項２０】
ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、請求項１９に記載の装置。
【請求項２１】
前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、請求項１５に記載の装置。
【請求項２２】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項１５に記載の装置。
【請求項２３】
前記複数のポイントのうちの１つまたは複数のポイントにおいて前記ＵＥからサウンディング基準信号（ＳＲＳ）を受信するための手段と、
前記１つまたは複数のポイントによって受信された前記ＳＲＳに基づいて、前記ＵＥからの前記１つまたは複数のポイントの各々におけるチャネル強度を判断するための手段と、
前記ＵＥからチャネル品質インジケータ（ＣＱＩ）フィードバックを受信するための手段と、
前記判断されたチャネル強度および前記ＣＱＩに基づいて変調およびコーディング方式（ＭＣＳ）を判断するための手段と、
前記ＭＣＳに基づいて前記データを変調およびコーディングするための手段と
をさらに備える、請求項１５に記載の装置。
【請求項２４】
マクロノードのセル内で地理的に動かされた複数のポイントを備えるワイヤレス通信のための装置であって、前記複数のポイントが、前記マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信するための手段と、
前記複数のポイントのうちの１つまたは複数のポイントにおいて前記ＵＥからサウンディング基準信号（ＳＲＳ）を受信するための手段と、
前記１つまたは複数のポイントによって受信された前記ＳＲＳに基づいて、前記ＵＥからの前記１つまたは複数のポイントの各々におけるチャネル強度を判断するための手段と、
前記判断されたチャネル強度に基づいて、前記ＵＥが前記１つまたは複数のポイントのうちの少なくとも１つのポイントの極めて近傍にあるかどうかを判断するための手段と、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送るための手段と、ここにおいてＣＲＳに基づく前記データ送信が、前記ＵＥの極めて近傍にないポイントからのデータ送信から独立した前記少なくとも１つのポイントから前記ＵＥに送られる
をさらに備える、装置。
【請求項２５】
ワイヤレス通信のための装置であって、前記装置が、マクロノードのセル内で地理的に動かされた複数のポイントと通信し、前記複数のポイントが、前記マクロノードおよび前記マクロノードに結合された複数のリモートラジオヘッド（ＲＲＨ）を備え、
ポイントの第１のサブセットから共通基準信号（ＣＲＳ）とともに制御情報を受信するための手段と、
ポイントの第２のサブセットからＵＥ固有復調基準信号（ＤＭ−ＲＳ）に基づいて送信されたデータを受信するための手段と、
ポイントの前記第２のサブセットからチャネル状態情報基準信号（ＣＳＩ−ＲＳ）を受信するための手段と、
前記受信したＣＳＩ−ＲＳに少なくとも部分的に基づいてチャネル状態情報報告を送信するための手段であって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信するための手段と
を備える、装置。
【請求項２６】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項２５に記載の装置。
【請求項２７】
ポイントの前記第１のサブセットから識別子を受信するための手段であって、前記識別子が、ポイントの前記第１のサブセットに関連したセル識別子とは異なる、受信するための手段と、
前記受信した識別子に基づいてポイントの前記第２のサブセットから前記受信したデータをデスクランブルするための手段と
をさらに備える、請求項２５に記載の装置。
【請求項２８】
ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、請求項２５に記載の装置。
【請求項２９】
マクロノードのセル内で地理的に動かされた複数のポイントを備えるワイヤレス通信のための装置であって、前記複数のポイントが、前記マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
を行うように構成された処理システム
をさらに備える、装置。
【請求項３０】
ポイントの前記第１のサブセットが同じセル識別子を有し、ポイントの前記第１のサブセット中の各ポイントが同じ制御情報およびＣＲＳを送信する、請求項２９に記載の装置。
【請求項３１】
前記処理システムが、
指定されたポイントから第２の制御情報および第２のＣＲＳを送信することであって、前記指定されたポイントが、前記複数のポイント中にあるがポイントの前記第１のサブセット中にないポイントであり、前記指定されポイントが、前記複数のポイント中の他のポイントとは異なるセル識別子を有する、送信すること
を行うようにさらに構成された、請求項２９に記載の装置。
【請求項３２】
前記処理システムが、ポイントの前記第２のサブセットから前記ＵＥにチャネル状態情報基準信号（ＣＳＩ−ＲＳ）を送信するようにさらに構成された、請求項２９に記載の装置。
【請求項３３】
前記処理システムが、前記ＣＳＩ−ＲＳに少なくとも部分的に基づいて前記ＵＥからチャネル状態情報報告を受信することであって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信することを行うようにさらに構成された、請求項３２に記載の装置。
【請求項３４】
ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、請求項３３に記載の装置。
【請求項３５】
前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、請求項２９に記載の装置。
【請求項３６】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項２９に記載の装置。
【請求項３７】
前記処理システムが、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと、
前記判断されたチャネル強度および前記ＣＱＩに基づいて変調およびコーディング方式（ＭＣＳ）を判断することと、
前記ＭＣＳに基づいて前記データを変調およびコーディングすることと
を行うようにさらに構成された、請求項２９に記載の装置。
【請求項３８】
マクロノードのセル内で地理的に動かされた複数のポイントを備えるワイヤレス通信のための装置であって、前記複数のポイントが、前記マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる
を行うように構成された処理システム
をさらに備える、装置。
【請求項３９】
ワイヤレス通信のための装置であって、前記装置が、マクロノードのセル内で地理的に動かされた複数のポイントと通信し、前記複数のポイントが、前記マクロノードおよび前記マクロノードに結合された複数のリモートラジオヘッド（ＲＲＨ）を備え、
ポイントの第１のサブセットから共通基準信号（ＣＲＳ）とともに制御情報を受信することと、
ポイントの第２のサブセットからＵＥ固有復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
を行うように構成された処理システム
を備える、装置。
【請求項４０】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項３９に記載の装置。
【請求項４１】
前記処理システムが、
ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
を行うようにさらに構成された、請求項３９に記載の装置。
【請求項４２】
ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、請求項２５に記載の装置。
【請求項４３】
マクロノードのセル内で地理的に動かされた複数のポイントと通信するためのコンピュータ可読記憶媒体であって、前記複数のポイントが、前記マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
をコンピュータに行わせるためのコードを備えるコンピュータ可読記憶媒体。
【請求項４４】
ポイントの前記第１のサブセットが同じセル識別子を有し、ポイントの前記第１のサブセット中の各ポイントが同じ制御情報およびＣＲＳを送信する、請求項４３に記載のコンピュータ可読記憶媒体。
【請求項４５】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項４３に記載のコンピュータ可読記憶媒体。
【請求項４６】
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと、
前記判断されたチャネル強度および前記ＣＱＩに基づいて変調およびコーディング方式（ＭＣＳ）を判断することと、
前記ＭＣＳに基づいて前記データを変調およびコーディングすることと
を前記コンピュータに行わせるためのコードをさらに備える、請求項４３に記載のコンピュータ可読記憶媒体。
【請求項４７】
マクロノードのセル内で地理的に動かされた複数のポイントと通信するためのコンピュータ可読記憶媒体であって、前記複数のポイントが、前記マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる、データ送信を送ることと
をコンピュータに行わせるためのコードを備えるコンピュータ可読記憶媒体。
【請求項４８】
マクロノードのセル内で地理的に動かされた複数のポイントと通信するためのコンピュータ可読記憶媒体であって、前記複数のポイントが、前記マクロノードおよび前記マクロノードに結合された複数のリモートラジオヘッド（ＲＲＨ）を備え、
ポイントの第１のサブセットから共通基準信号（ＣＲＳ）とともに制御情報を受信することと、
ポイントの第２のサブセットから復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
をコンピュータに行わせるためのコードを備えるコンピュータ可読記憶媒体。
【請求項４９】
ポイントの前記第１のサブセットが前記マクロノードおよび０個以上のＲＲＨを備え、ポイントの前記第２のサブセットが前記マクロノードおよび／または１つまたは複数のＲＲＨを備える、請求項４８に記載のコンピュータ可読記憶媒体。
【請求項５０】
ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
をコンピュータに行わせるためのコードをさらに備える、請求項４８に記載のコンピュータ可読記憶媒体。
【発明の詳細な説明】
【関連出願の相互参照】
【０００１】
本出願は、開示の全体が参照により明確に本明細書に組み込まれる、２０１１年２月１１日に出願された「COOPERATION AND OPERATION OF MACRO AND REMOTE RADIO HEAD DEPLOYMENTS IN HETEROGENEOUS NETWORKS」と題する米国仮出願第６１／４４２，１２９号、２０１１年２月１４日に出願された「COOPERATION AND OPERATION OF MACRO AND REMOTE RADIO HEAD DEPLOYMENTS IN HETEROGENEOUS NETWORKS」と題する米国仮出願第６１／４４２，６９０号、２０１１年２月１１日に出願された「METHOD AND APPARATUS FOR ENABLING CHANNEL AND INTERFERENCE ESTIMATIONS IN MACRO/RRH SYSTEM」と題する米国仮出願第６１／４４２，０８７号、および２０１２年１月１２日に出願された「COOPERATION AND OPERATION OF MACRO NODE AND REMOTE RADIO HEAD DEPLOYMENTS IN HETEROGENEOUS NETWORKS」と題する米国特許出願第１３／３４９，０７３号の利益を主張する。
【技術分野】
【０００２】
本開示は、一般に通信システムに関し、より詳細には、異種ネットワークにおけるマクロノードおよびリモートラジオヘッド（ＲＲＨ：remote radio head）展開の協働および動作に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために、様々な電気通信規格において採用されている。新生の電気通信規格の例は、ロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の増強のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
本開示は、マクロノードおよびマクロノードに結合された地理的に動かされた(displaced)リモートラジオヘッド（ＲＲＨ）のカバレージエリア内での制御送信とデータ送信との分離を提供する。マクロノードは、ＲＲＨとともに、複数の送信／受信ポイント（ＴｘＰ）またはポイントと考えられ得る。マクロノード／ＲＲＨ構成において制御とデータとを分離することによって、ユーザ機器（ＵＥ）は、データ送信のために少なくとも１つの送信ポイントに関連付けられ得るが、制御情報は、共通基準信号（ＣＲＳ）に基づいて送信ポイントの異なるセットから送信される。これは、場合によっては制御送信をすべての送信ポイントについて共通のままにしながら、異なる送信ポイントにわたるデータ送信のためのセル分割を可能にする。制御とデータとの分離は、ハンドオーバプロセスを介した再構成と比較して、ＵＥデータ送信のために使用されるアンテナポートのより速い再構成を可能にし得る。マクロノード／ＲＲＨ構成のカバレージ内での制御送信とデータ送信との分離は、ＵＥ固有基準信号によって可能にされ得る。
【０００６】
本開示の一態様では、ワイヤレス通信のための方法、装置、およびコンピュータプログラム製品が提供される。本装置は、マクロノードおよびマクロノードに結合された少なくとも１つのリモートラジオヘッド（ＲＲＨ）を含み得、マクロノードおよび少なくとも１つのＲＲＨは地理的に動かされた複数のポイントを備える。本装置は、ポイントの第１のサブセットからユーザ機器（ＵＥ）に共通基準信号（ＣＲＳ）とともに制御情報を送信し、ポイントの第２のサブセットからＵＥにＵＥ固有復調基準信号（ＤＭ−ＲＳ）に基づくデータ送信を送る。
【０００７】
別の態様は、ポイントのサブセットからユーザ機器（ＵＥ）に共通基準信号（ＣＲＳ）とともに制御情報を送信することと、複数のポイントのうちの１つまたは複数のポイントにおいてＵＥからサウンディング基準信号(sounding reference signal)（ＳＲＳ）を受信することと、１つまたは複数のポイントによって受信されたＳＲＳに基づいて、ＵＥから１つまたは複数のポイントの各々までのチャネル強度を判断することと、判断されたチャネル強度に基づいて、ＵＥが１つまたは複数のポイントのうちの少なくとも１つのポイントの極めて近傍にあるかどうかを判断することと、判断されたチャネル強度に基づいてＵＥが少なくとも１つのポイントの極めて近傍にあると判断されたとき、少なくとも１つのポイントからＵＥにＣＲＳに基づくデータ送信を送ることであって、ＣＲＳに基づくデータ送信が、ＵＥの極めて近傍にないポイントからのデータ送信から独立した少なくとも１つのポイントからＵＥに送られる、送ることとを行う装置に関する。
【０００８】
さらなる態様は、マクロノードおよびマクロノードに結合された少なくとも１つのリモートラジオヘッド（ＲＲＨ）と通信し、マクロノードおよび少なくとも１つのＲＲＨが、地理的に動かされた複数のポイントを備える装置に関する。本装置は、ポイントの第１のサブセットから共通基準信号（ＣＲＳ）とともに制御情報を受信することと、ポイントの第２のサブセットから復調基準信号（ＤＭ−ＲＳ）に基づいて送信されたデータを受信することと、ポイントの第２のサブセットからチャネル状態情報基準信号（ＣＳＩ−ＲＳ）を受信することと、受信されたＣＳＩ−ＲＳに少なくとも部分的に基づいてチャネル状態情報報告を送信することであって、チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することとを行うように構成される。
【図面の簡単な説明】
【０００９】
【図１】ネットワークアーキテクチャの例を示す図。
【図２】アクセスネットワークの例を示す図。
【図３】ＬＴＥにおけるＤＬフレーム構造の例を示す図。
【図４】ＬＴＥにおけるＵＬフレーム構造の例を示す図。
【図５】ユーザプレーンおよび制御プレーンのための無線プロトコルアーキテクチャの例を示す図。
【図６】アクセスネットワーク中の発展型ノードＢおよびユーザ機器の例を示す図。
【図７】異種ネットワーク中のセルラー範囲拡大（ＣＲＥ：cellular range expansion）領域を示す図。
【図８】同じセル領域内で動作する低電力ＲＲＨをもつ異種ネットワークを示す図。
【図９】リソースブロックのセット内の基準信号構成を示す図。
【図１０】ワイヤレス通信の方法のフローチャート。
【図１１】ワイヤレス通信の方法のフローチャート。
【図１２】ワイヤレス通信の方法のフローチャート。
【図１３】ワイヤレス通信の方法のフローチャート。
【図１４】例示的な装置中の異なるモジュール／手段／コンポーネント間のデータフローを示す概念データフロー図。
【図１５】例示的な装置中の異なるモジュール／手段／コンポーネント間のデータフローを示す概念データフロー図。
【図１６】処理システムを採用する装置のためのハードウェア実装形態の例を示す図。
【図１７】処理システムを採用する装置のためのハードウェア実装形態の例を示す図。
【詳細な説明】
【００１０】
添付の図面に関して以下に示す詳細な説明は、様々な構成を説明するものであり、本明細書で説明する概念が実施され得る唯一の構成を表すものではない。詳細な説明は、様々な概念の完全な理解を提供するための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントをブロック図の形式で示す。
【００１１】
次に、様々な装置および方法に関して電気通信システムのいくつかの態様を提示する。これらの装置および方法について、以下の詳細な説明において説明し、（「要素」と総称される）様々なブロック、モジュール、コンポーネント、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定のアプリケーションおよび全体的なシステムに課された設計制約に依存する。
【００１２】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００１４】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、オペレータのＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１５】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端(terminations)と制御プレーンプロトコル終端とを提供する。ｅＮＢ１０６は、Ｘ２インターフェース（たとえば、バックホール）を介して他のｅＮＢ１０８に接続され得る。ｅＮＢ１０６はまた、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを提供する。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラ(bearer)および接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を提供する。ＰＤＮゲートウェイ１１８はオペレータのＩＰサービス１２２に接続される。オペレータのＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１７】
図２は、ＬＴＥネットワークアーキテクチャにおけるアクセスネットワーク２００の例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、たとえば、リモートラジオヘッド（ＲＲＨ）であり得る。代替的に、より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを提供するように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１８】
アクセスネットワーク２００によって採用される変調および多元接続方式は、展開されている特定の電気通信規格に応じて異なり得る。ＬＴＥアプリケーションでは、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥアプリケーションに好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）（登録商標）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定のアプリケーションおよびシステムに課された全体的な設計制約に依存することになる。
【００１９】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信され得るか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた(destined)１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２０】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２１】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間(spacing)は、受信機がサブキャリアからデータを復元することを可能にする「直交性（orthogonality）」を提供する。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張されたサイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２３】
図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続するサブキャリアを含むデータセクションを生じる。
【００２４】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり(span)得、周波数上でホッピングし(hop)得る。
【００２５】
初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨの試みは単一のサブフレーム（１ｍｓ）中でまたは少数の連続するサブフレームのシーケンス中で搬送され、ＵＥは、フレーム（１０ｍｓ）ごとに単一のＰＲＡＣＨの試みだけを行うことができる。
【００２６】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３の３つのレイヤで示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２７】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２８】
ＰＤＣＰサブレイヤ５１４は、異なる無線ベアラと論理チャネルとの間で多重化を提供する。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失(lost)データパケットの再送信と、ハイブリッド自動再送要求（ＨＡＲＱ：hybrid automatic repeat request）による、順序が乱れた(out-of-order)受信を補償するためのデータパケットの並べ替え(reordering)とを提供する。ＭＡＣサブレイヤ５１０は、論理チャネルとトランスポートチャネルとの間の多重化を提供する。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２９】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３０】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを提供する。コントローラ／プロセッサ６７５はまた、ＨＡＲＱ動作と、紛失パケットの再送信と、ＵＥ６５０へのシグナリングとを担当する。
【００３１】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション(constellations)へのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に提供される。各送信機６１８ＴＸは、送信のためにそれぞれの空間ストリームでＲＦキャリアを変調する。
【００３２】
ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定(soft decisions)は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に提供される。
【００３３】
コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離(demultiplexing)と、パケット再統合と、復号(deciphering)と、ヘッダの復元(decompression)と、制御信号処理とを提供する。上位レイヤパケットは、次いで、Ｌ２レイヤの上のすべてのプロトコルレイヤを表すデータシンク６６２に提供される。また、様々な制御信号がＬ３処理のためにデータシンク６６２に提供され得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３４】
ＵＬでは、データソース６６７は、コントローラ／プロセッサ６５９に上位レイヤパケットを提供するために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えとを提供することと、ｅＮＢ６１０による無線リソース割振りに基づいた論理チャネルとトランスポートチャネルとの間の多重化を行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３５】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に提供される。各送信機６５４ＴＸは、送信のためにそれぞれの空間ストリームでＲＦキャリアを変調する。
【００３６】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を提供する。ＲＸプロセッサ６７０はＬ１レイヤを実装し得る。
【００３７】
コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケット再統合と、復号と、ヘッダ復元と、制御信号処理とを提供する。コントローラ／プロセッサ６７５からの上位レイヤパケットはコアネットワークに提供され得る。コントローラ／プロセッサ６７５はまた、ＨＡＲＱ動作をサポートするためにＡＣＫおよび／またはＮＡＣＫプロトコルを使用した誤り検出を担当する。
【００３８】
図７は、異種ネットワーク中のセルラー範囲拡大（ＣＲＥ）領域を示す図７００である。異種ネットワークは、同じセル領域内で動作する複数の低電力ピコノードと相互接続されたマクロノードを含み得る。マクロノードは、Ｘ２バックホールまたは光ファイバーバックホールによって複数のピコノードと相互接続され得る。マクロノードがＸ２バックホールを介して複数のピコノードに相互接続されているとき、マクロノードはピコノードについてのスケジューリングを扱わない。そうではなく、スケジューリングが各セルにおいて実行されるように、低電力ピコノードはそれら自体を独立してスケジュールする。さらに、マクロノードおよびピコノードはすべて、異なるセル識別子（ＩＤ）で構成される。Ｘ２バックホールを介して相互接続された異種ネットワークは、バックホール上での強化されたセル間干渉協調（ｅＩＣＩＣ：enhanced inter-cell interference coordination）、あるいはｅＩＣＩＣの他の形態、あるいは限定はしないが協調ビームフォーミング、ジョイント送信、または分散アンテナ選択を含む多地点協調送信／受信（ＣｏＭＰ）の何らかの形態を使用し得る。
【００３９】
ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることができる。
【００４０】
図８は、同じセル領域８２０内で動作する低電力ＲＲＨをもつ異種ネットワークを示す図８００である。図８では、低電力ＲＲＨ８０４、８０６、８０８、８１０は、光ファイバー８１５によってマクロノード８０２と相互接続されている。代替的に、マクロノード８０２はピコノードであり得る。概して、異種ネットワークセットアップは、ＵＥがＲＲＨまたはノードからデータ送信を受信するとき、高度ＵＥ（たとえば、ＬＴＥ  Ｒｅｌ−１０またはそれ以降のＵＥ）に最も多くの性能恩恵を提供し得る。異種ネットワークセットアップ間の主要な差は、制御シグナリングとレガシー影響（たとえば、ＬＴＥ  Ｒｅｌ−１０より前のＵＥへの影響）の処理とに関係する。
【００４１】
一態様では、マクロノード８０２は、それ自体およびＲＲＨ８０４、８０６、８０８、８１０について、セル内のすべてのスケジュールを処理する。ＲＲＨ８０４、８０６、８０８、８１０は、マクロノード８０２と同じセル識別子（ＩＤ）で構成され得る。ＲＲＨ８０４、８０６、８０８、８１０がマクロノード８０２と同じセルＩＤで構成された場合、マクロノード８０２およびＲＲＨ８０４、８０６、８０８、８１０は、本質的に、マクロノード８０２によって制御される１つのセルとして動作する。
【００４２】
図８でのマクロノード８０２およびＲＲＨ８０４、８０６、８０８、８１０の展開は、分散アンテナアレイセットアップと見なされ得る。マクロノード８０２における集中処理(concentrated processing)は性能恩恵を提供し得る。さらに、ＲＲＨ８０４、８０６、８０８、８１０がマクロノード８０２と同じセルＩＤで構成された場合、単一のＣＲＳが使用され得、たとえば、マクロノード８０２および各ＲＲＨから同じパイロット／ＲＳが送信される。
【００４３】
別の態様では、ＲＲＨ８０４、８０６、８０８、８１０は、マクロノード８０２とは異なるセル識別子（ＩＤ）で構成され得る。さらに、ＲＲＨ８０４、８０６、８０８、８１０の各々は、それぞれ、異なるセルＩＤで構成され得る。マクロノード８０２およびＲＲＨ８０４、８０６、８０８、８１０が異なるセルＩＤで構成された場合、マクロノード８０２およびＲＲＨ８０４、８０６、８０８、８１０は、ＵＥに異なるセルとして見えるように動作するが、すべての制御およびスケジューリングは依然としてマクロノード８０２によって処理され得る。さらに、マクロノード８０２およびＲＲＨ８０４、８０６、８０８、８１０が異なるセルＩＤで構成された場合、異なるＣＲＳが使用され得、たとえば、マクロノード８０２および各ＲＲＨから異なるパイロット／ＲＳが送信される。
【００４４】
図８を参照すると、光ファイバーバックホールを介して相互接続された異種ネットワークは、バックホール上での拡張セル間干渉協調（ｅＩＣＩＣ）、あるいはｅＩＣＩＣの他の形態、あるいは限定はしないが協調ビームフォーミング、ジョイント送信、または分散アンテナ選択を含む多地点協調送信／受信（ＣｏＭＰ）の何らかの形態を使用し得る。さらに、光ファイバーバックホールを介して相互接続された図８のネットワークは、完全なバックホールをもつ異種ネットワークと考えられ得る。完全なバックホールとは、一般に、上述の動作をサポートするために十分に低いレイテンシ(latency)および十分に高い容量を提供する理想的なバックホールリンクを指す。ＣｏＭＰは、全体的なシステム性能を向上させ、リソースをより効果的に利用し、エンドユーザサービス品質を改善するという目的をもつ、複数の地理的に分離されたｅＮＢまたはポイントとの送信および／または受信の動的協調を可能にする広範囲の様々な技法を指す。したがって、ＵＥがセルエッジ領域にあるとき、ＵＥは、システム負荷にかかわらず複数のポイントから信号を受信することが可能であり得る。ダウンリンク送信に関して、複数のポイントから送信されたシグナリングが協調された場合、ダウンリンク性能は著しく増加し得る。たとえば、協調は、干渉回避、または複数のｅＮＢからの同じデータの送信のスケジューリングに焦点を当て得る。アップリンクに関して、ＵＥ信号は、複数のｅＮＢによって受信され得る。したがって、複数のｅＮＢからのスケジューリングが協調された場合、リンク性能を著しく改善するために複数受信が利用され得る。
【００４５】
図９に、リソースブロックのセット内の基準信号構成の図９００、９０２、および９０４を示す。リソースブロックのセットは、ポート１、２、３、および４についての共通またはセル固有基準信号（ＣＲＳ）と、復調基準信号（ＤＭ−ＲＳ）と、チャネル状態情報基準信号（ＣＳＩ−ＲＳ）とを含み得る。図９００に２ＣＳＩ−ＲＳについての構成を示し、図９０２に４ＣＳＩ−ＲＳについての構成を示し、図９０４に８ＣＳＩ−ＲＳについての構成を示す。物理ダウンリンク制御チャネル（ＰＤＣＣＨ）およびＰＤＳＣＨをも示す。
【００４６】
図８および図９を参照すると、ＲＲＨの各々は、１つまたは複数のＣＳＩ−ＲＳリソース上で送信するために割り当てられ得る。概して、マクロノードおよびＲＲＨには、あるＣＳＩ−ＲＳリソースのサブセットが割り当てられ得る。たとえば、８ポートＣＳＩ−ＲＳリソースの場合、ＲＲＨ１３０４はＣＳＩ−ＲＳポート０、１上で送信するために割り当てられ得、ＲＲＨ８０６はＣＳＩ−ＲＳポート２、３上で送信するために割り当てられ得、ＲＲＨ８０８はＣＳＩ−ＲＳポート４、５上で送信するために割り当てられ得、ＲＲＨ８１０はＣＳＩ−ＲＳポート６、７上で送信するために割り当てられ得る。マクロノードおよび／またはＲＲＨには、同じＣＳＩ−ＲＳリソースが割り当てられ得る。たとえば、ＲＲＨ８０４およびＲＲＨ８０８は、ＣＳＩ−ＲＳポート０、１、２、３上で送信するために割り当てられ得、ＲＲＨ８０６およびＲＲＨ８１０は、ＣＳＩ−ＲＳポート４、５、６、７上で送信するために割り当てられ得る。そのような構成では、ＲＲＨ８０４、８０８からのＣＳＩ−ＲＳは重複し、ＲＲＨ８０６、８１０からのＣＳＩ−ＲＳは重複するであろう。
【００４７】
ＣＳＩ−ＲＳリソースの構成はＵＥ固有である。各ＵＥはＣＳＩ−ＲＳリソースのセットで構成され得、各リソースは所定の数のＣＳＩ−ＲＳポート（たとえば、１つ、２つ、４つ、または８つのＣＳＩ−ＲＳポート）を含み得る。各ＵＥは、ＲＲＨ８０４、８０６、８０８、８１０のうちの１つまたは複数からＣＳＩ−ＲＳを受信し得る。たとえば、ＵＥ８２２は、ＲＲＨ８０４からＣＳＩ−ＲＳポート０、１上でＣＳＩ−ＲＳを受信し得、ＲＲＨ８０６からＣＳＩ−ＲＳポート２、３上でＣＳＩ−ＲＳを受信し得、ＲＲＨ８０８からＣＳＩ−ＲＳポート４、５上でＣＳＩ−ＲＳを受信し得、ＲＲＨ８１０からＣＳＩ−ＲＳポート６、７上でＣＳＩ−ＲＳを受信し得る。ＵＥ８２０が同じＲＲＨから異なるポート上でＣＳＩ−ＲＳを受信し得るように、そのような構成はＵＥ８２２に固有である。
【００４８】
別の例では、ＵＥ８２０はまた、８つのＣＳＩ−ＲＳポートで構成され得、ＣＳＩ−ＲＳポート０、１上でＲＲＨ８０８からＣＳＩ−ＲＳを受信し得、ＣＳＩ−ＲＳポート２、３上でＲＲＨ８１０からＣＳＩ−ＲＳを受信し得、ＣＳＩ−ＲＳポート４、５上でＲＲＨ８０４からＣＳＩ−ＲＳを受信し得、ＣＳＩ−ＲＳポート６、７上でＲＲＨ８０６からＣＳＩ−ＲＳを受信し得る。概して、特定のＵＥの場合、ＣＳＩ−ＲＳポートがＲＲＨの間で分配され得、特定のＵＥは、それらのポート上で特定のＵＥに情報を送るように構成されたＲＲＨから、それらのポート上でＣＳＩ−ＲＳを受信するように構成され得る。
【００４９】
ＲＲＨの各々がマクロノード８０２と同じセルＩＤを共有するとき、制御情報は、マクロノードから、またはマクロノード８０２とＲＲＨのすべてとの両方からＣＲＳとともに送信され得る。ＣＲＳは、同じリソース要素を使用してポイント（すなわち、マクロノード、ＲＲＨ）のすべてから送信され得、送信された信号は重なり合う(being on top of each other)ことになり得る。さらに、ポイントのすべてが同じセルＩＤを有するとき、ＵＥは、ポイントの各々から送信されたＣＲＳの間で区別することができないことがある。
【００５０】
ＲＲＨが異なるセルＩＤを有するとき、ＲＲＨの各々から送信されたＣＲＳは衝突し得る。ＣＲＳ衝突が起きたとき、同じリソース要素を使用して異なるセルからのＣＲＳが送信され得る。さらに、ＲＲＨが異なるセルＩＤを有し、ＣＲＳが衝突したとき、ポイントの各々から送信されたＣＲＳは、干渉消去技法および／または高度受信機処理によって区別され得る。
【００５１】
図８を参照すると、複数のポイントからＣＲＳが送信されるとき、マクロノード８０２およびＲＲＨ８０４、８０６、８０８、８１０において等しくない数の物理アンテナがある場合、適切なアンテナ仮想化が必要とされ得る。すなわち、ＣＲＳは、各マクロノードおよびＲＲＨにおいて等しい数の（仮想）送信アンテナから送信されるべきである。たとえば、マクロノード８０２およびＲＲＨ８０４、８０６、８０８がそれぞれ４つの物理アンテナを有し、ＲＲＨ８１０が２つの物理アンテナを有する場合、ＲＲＨ８１０の第１のアンテナは、２つのＣＲＳポートを使用して送信するように構成され得、ＲＲＨ８１０の第２のアンテナは、異なる２つのＣＲＳポートを使用して送信するように構成され得る。アンテナポートの数は、物理アンテナの数に関して増加または減少し得る。
【００５２】
上記で説明したように、マクロノード８０２およびＲＲＨ８０４、８０６、８０８、８１０はすべて、ＣＲＳを送信し得る。しかしながら、マクロノード８０２のみがＣＲＳを送信した場合、自動利得制御（ＡＧＣ）問題により、ＣＲＳを送信していないＲＲＨの近くに送信／受信停止(outage)が生じることがある。
【００５３】
ＲＲＨについて同じセルＩＤを使用する異種ネットワークセットアップと、ＲＲＨについて異なるセルＩＤを使用する異種ネットワークセットアップとの間の差は、主に、制御シグナリング、ＣＲＳベースの送信モード、およびＣＲＳに依拠する他の潜在的な動作に関係する。セルＩＤに依存するシステム特性／コンポーネント（たとえば、スクランブリングシーケンスなど）はより容易に区別され得るので、異なるセルＩＤおよび衝突ＣＲＳを用いた異種ネットワークセットアップは、同じセルＩＤを用いた異種ネットワークセットアップと比較して有利であり得る。
【００５４】
マクロノードとＲＲＨとが同じセルＩＤで構成され、いくつかのＵＥがＣＲＳベースの送信モードに基づいて動作するように構成されたとき、単一周波数ネットワーク（ＳＦＮ）の１つの領域と高ジオメトリレガシーＵＥのためのピコセル分割の１つの領域とを用いた時分割多重化（ＴＤＭ）区分が使用され得る。これは、特定のポイントの極近傍に位置するＵＥについての「セル」分割の基本形態を可能にし得る。上記のセットアップでは、復調のためにＵＥ固有基準信号に依拠する送信モードで構成されたＵＥの場合、データ送信はＵＥ固有ＤＭ−ＲＳに基づき得る。
【００５５】
ネットワークが異なるセルＩＤで構成されたとき、異種ネットワーク設計が使用され得る。すなわち、限定はしないがＬＴＥ  Ｒｅｌ−１０の一部として指定された技法を含む、ｅＩＣＩＣ技法が採用され得る。上述の同じセルＩＤ構成と同様に、ＵＥ固有ＤＭ−ＲＳに依拠する送信モードで動作するようにＵＥを構成することがさらに可能である。
【００５６】
ＬＴＥ  Ｒｅｌ―８／９の場合、ネットワークが異なるセルＩＤで構成されたとき、無線リソース管理（ＲＲＭ）／無線リンク管理（ＲＬＭ）に関する問題を解決するために、ＵＥは、衝突ＣＲＳを用いた異種ネットワーク設計と同様に、最も強いセルにアタッチし得る。ＬＴＥ  Ｒｅｌ−１０またはそれ以降では、干渉消去（ＩＣ）または高度受信機処理が利用可能である場合、既存のプロシージャが動作し得る。したがって、ポイントへのサウンディング基準信号（ＳＲＳ）ベースの関連付けの必要がないことがある。また、制御信号およびデータ信号は分離され得る。
【００５７】
ネットワークが同じセルＩＤで構成されたとき、ＣＲＳを送信するポイントからのＣＲＳ送信は結合し、このことはＵＥに対して透過的(transparent)であり得る。ＵＥは、いくつかのポイントへのＵＥの近接度を判断するために、サウンディング基準信号（ＳＲＳ）を送信するように構成され得る。また、ＲＲＭ／ＬＬＭプロシージャのためにＣＲＳ以外の基準信号を使用することが可能であり得、たとえば、そのような目的のためにＣＳＩ−ＲＳが使用され得る。
【００５８】
フィードバック／コードブック考慮事項に関して、ＵＥは、ＣＳＩ−ＲＳに少なくとも部分的に基づいてチャネル状態情報報告を実行し、同じセルＩＤで構成されたネットワークにＣＳＩフィードバックを提供し得る。しかしながら、既存のコードブックはＣＳＩ−ＲＳの各々について経路損失(path loss)が等しいと仮定して設計されており、したがって、この条件が満たされない場合、いくらかの性能損失を被り得るので、問題が起こる。複数のＲＲＨがＵＥのパースペクティブから単一のＣＳＩ−ＲＳリソースを備え得るので、ＣＳＩ−ＲＳポートの各々に関連する経路損失は異なり得る。したがって、ポイントに対する適切な経路損失を考慮に入れた効率的なクロスポイントＣＳＩフィードバックを可能にするために、コードブック改良が必要とされ得る。複数のＣＳＩフィードバックは、アンテナポートをグループ化し、グループごとのフィードバックを提供することによって提供され得る。
【００５９】
ＣＲＳベースのＣＳＩフィードバックの場合、同じセルＩＤで構成されたネットワークは合成(composite)チャネルを参照する。したがって、既存のコードブックはそのようなセットアップを考慮するように考案されなかったので、ある程度の劣化(degradation)が起こり得る。ＣＳＩ−ＲＳベースのＣＳＩフィードバックの場合、チャネルフィードバックのためにＣＳＩ−ＲＳが使用される。干渉推定がＣＲＳに基づく場合、同じセルＩＤセットアップ／異なるセルＩＤセットアップとの間に、ある程度の性能差が生じ得る。ＣＳＩ−ＲＳに基づいてチャネル測定と干渉測定の両方を実行することも可能であり得る。
【００６０】
さらにフィードバック／コードブックを考慮すると、ネットワークが異なるセルＩＤで構成されたとき、プリコーディング行列インジケータ（ＰＭＩ）／ランクインデックス（ＲＩ）フィードバック特性は異なり得る。たとえば、ＰＭＩ／ＲＩフィードバックは、ＣＲＳに基づいて最も強いセルに提供され得る。代替的に、ＰＭＩ／ＲＩフィードバックは、ある送信モードの場合、ＣＳＩ−ＲＳに基づき得る。特に、ＣＳＩ−ＲＳ構成はＵＥ固有であり、したがってＵＥは、必要に応じて自由にＲＲＨに関連し得る。また、コードブックは、セル間ＰＭＩ／ＲＩフィードバックなどを提供するために向上させられ得る。
【００６１】
ネットワークが同じセルＩＤで構成されたとき、ＰＭＩ／ＲＩフィードバック特性も異なり得る。たとえば、ＰＭＩ／ＲＩフィードバックは、ＣＲＳを使用したすべてのポイントからの送信を仮定して提供され得る。また、ＰＭＩ／ＲＩフィードバックは、ある送信モードの場合、ＣＳＩ−ＲＳに基づき得る。ＣＳＩ−ＲＳ構成はＵＥ固有であるので、ＵＥは、ＲＲＨに自由に関連し得るか、またはクロスポイント割当てを有し得る。しかしながら、既存のコードブックは、ＣＳＩ−ＲＳポートのクロスポイント割当てのために設計され得ない。
【００６２】
チャネル品質インジケータ（ＣＱＩ）フィードバックに関して、ネットワークが異なるセルＩＤで構成されたとき、ＣＱＩ／ＲＩフィードバック特性は異なり得る。たとえば、ＣＱＩ／ＲＩフィードバックは、衝突ＣＲＳを用いた異種ネットワーク設計の場合と同じであり得る。
【００６３】
ネットワークが同じセルＩＤで構成されたとき、ＣＱＩ／ＲＩフィードバック特性はまた異なり得る。たとえば、ＣＱＩ／ＲＩフィードバックは、ＣＲＳ構成（たとえば、すべてのポイントがＣＲＳを送信するか、またはマクロノードのみがＣＲＳを送信するかどうか）に依存し得る。すべてのポイントがＣＲＳを送信する場合、ＣＱＩ／ＲＩフィードバックは、単一のＳＦＮの場合と同じであり得る。チャネル推定はＣＳＩ−ＲＳに基づき得、干渉推定はＣＳＩ−ＲＳを使用して実行され得る。したがって、ＣＱＩ／ＲＩフィードバックはＣＳＩ−ＲＳに基づき得る。
【００６４】
一態様では、送信／受信ポイント（「ＴｘＰ」）またはポイントという用語は、少なくとも１つの中央エンティティ（たとえば、ｅＮＢ）によって制御されており、同じセルＩＤまたは異なるセルＩＤを有し得る地理的に分離された送信／受信ノードを表す。例示的な構成は、同じセルＩＤまたは異なるセルＩＤを用いたマクロノード／ＲＲＨ構成に適用可能である。異なるセルＩＤの場合、ＣＲＳ送信は重複するように構成され得、それは同じセルＩＤ場合と同様のシナリオにつながる。しかしながら、セルＩＤに依存するシステム特性（たとえば、スクランブリングシーケンスなど）がＵＥによってより容易に区別され得るので、異なるセルＩＤの場合は有利であり得る。
【００６５】
例示的なマクロノード／ＲＲＨエンティティは、マクロノード／ＲＲＨ構成のカバレージ内での制御送信とデータ送信との分離を提供する。図８の態様を参照すると、セルＩＤが各ＴｘＰについて同じであるとき、ＰＤＣＣＨは、マクロノード８０２から、またはマクロノード８０２とＲＲＨ８０４、８０６、８０８、８１０との両方からＣＲＳとともに送信され得るが、ＰＤＳＣＨは、ＴｘＰのサブセットからＣＳＩ−ＲＳおよびＤＭ−ＲＳとともに送信され得る。図８の別の態様を参照すると、セルＩＤがＴｘＰのうちのいくつかについて異なる場合、ＰＤＣＣＨは、各セルＩＤグループ中のＣＲＳとともに送信され得る。各セルＩＤグループから送信されたＣＲＳは、衝突することも衝突しないこともある。ＵＥは、複数のＴｘＰから同じセルＩＤとともに送信されたＣＲＳを区別することができないが、複数のＴｘＰから異なるセルＩＤとともに送信されたＣＲＳを（たとえば干渉消去または同様の技法を使用して）区別することができる。
【００６６】
マクロノード／ＲＲＨ構成のカバレージ内での制御送信とデータ送信との分離は、すべてのポイントからのＣＲＳ送信に基づいて制御を送信する一方、ＵＥをデータ送信のための少なくとも１つのポイントに「関連付ける」ＵＥの透過的な方法(UE-transparent way)を提供する。これは、制御チャネルを共通のままにしながら、異なるポイントにわたるデータ送信のためのセル分割を可能にする。上記の「関連付ける」という用語は、データ送信のために特定のＵＥのアンテナポートを構成することを指す。これは、ハンドオーバのコンテキストにおいて実行されるであろう関連付けとは異なる。制御情報は、上記で説明したようにＣＲＳに基づいて送信され得る。制御とデータとの分離は、ハンドオーバプロセスを介した再構成と比較して、ＵＥデータ送信のために使用されるアンテナポートのより速い再構成を可能にし得る。クロスポイントフィードバックは、異なるポイントの物理アンテナに対応するようにＵＥのアンテナポートを構成することによって可能であり得る。
【００６７】
マクロノード／ＲＲＨ構成のカバレージ内での制御送信とデータ送信との分離は、ＵＥ固有基準信号によって可能にされる。ＣＳＩ−ＲＳおよびＤＭ−ＲＳは、ＬＴＥ−Ａコンテキストにおいて使用される基準信号である。干渉推定は、ＣＳＩ−ＲＳミューティング(muting)に基づいて実行され得る。制御送信が共通であるため、ＰＤＣＣＨ容量が制限され得るので、制御容量問題が存在し得る。したがって、制御容量は、周波数分割多重（ＦＤＭ）制御チャネルを使用することによって拡大され得る。さらに、ＰＤＣＣＨ制御チャネルを補足し、増補し、または交換するために、リレーＰＤＣＣＨ（Ｒ−ＰＤＣＣＨ）またはそれの拡張が使用され得る。
【００６８】
ＵＥは、ＰＭＩ／ＲＩ／ＣＱＩを提供するために、それのＣＳＩ−ＲＳ構成に少なくとも部分的に基づいてＣＳＩフィードバックを提供する。典型的なコードブック設計は、アンテナが地理的に分離されておらず、したがって同じ経路損失がアンテナアレイからＵＥまで存在すると仮定する。しかしながら、アンテナは無相関(uncorrelated)であり、異なるチャネルを参照するので、これは複数のＲＲＨの場合はそうでない。したがって、コードブックは、より効率的なクロスポイントＣＳＩフィードバックを可能にするために改良され得る。たとえば、ＣＳＩ推定は、異なるポイントに関連するアンテナポート間の経路損失差をキャプチャし得る。さらに、複数のフィードバックは、アンテナポートをグループ化することによって提供され得、グループごとのフィードバックを提供し得る。
【００６９】
ＣＲＳベースの送信モードならびにＰＤＣＣＨ制御チャネルに関して（たとえば、レガシーＵＥ動作について考えると）、同じセルＩＤ動作の場合、マクロノードおよびＲＲＨは、同時に同じデータと同じ制御情報とを送信する。異なるセルＩＤがＲＲＨのために使用される場合、何らかのセル分割が、ＣＲＳベースのデータおよび／または制御送信のために可能である。ＬＴＥ  Ｒｅｌ−１０より前のリリースのＵＥ−ＲＳは、復調のために使用され得、何らかのセル分割を可能にする。ＣＳＩ−ＲＳは、いくつかのＵＥ（たとえば、Ｒｅｌ−１０より前のリリースのＵＥ）のために利用可能であり得ないので、ＣＳＩフィードバックは、相互依存ベース(reciprocity-based)のフィードバックに基づき得る。たとえば、ｅＮＢは、ＵＥから送信されたサウンディング基準信号（ＳＲＳ）に基づいてチャネル状態を判断することができる。
【００７０】
同じセルＩＤを用いたネットワークセットアップは、ＣＲＳ送信の組合せにより、モビリティプロシージャに恩恵を与え得ることに留意されたい。これは、ハンドオーバの数の減少をもたらし得る。
【００７１】
異なるセルＩＤを用いたマクロノード／ＲＲＨ構成の場合、制御送信とデータ送信との分離は、場合によっては、（上述のように）同じセルＩＤを用いたマクロノード／ＲＲＨ構成の場合と同様である。ＵＥが最も強いセルから、または場合によっては強いセル／送信ポイントのあるセットから制御情報を受信し得る一方、データ送信は、セルまたは送信ポイントの異なるセットから実行され得る。一例では、これは、場合によっては制御送信のためにより弱い信号を有することがあるデータ送信を実行しているセル／送信ポイントのセットからの制御情報を復号する必要を回避し得る。
【００７２】
したがって、異なるセルＩＤを用いたマクロノード／ＲＲＨ構成の場合、制御情報は、最も強いセルから、または場合によっては強い信号をもつセルのセットから受信され得る。したがって、１つまたは複数のＲＲＨの極近傍に位置するＵＥは、直接それらの送信ポイントから制御情報を受信することが可能であり得る。これは、すべてのノードが同じセルＩＤを共有するシナリオと比較して、制御容量に関して利点を有し得る。
【００７３】
別の態様では、異なるセルＩＤを用いたマクロノード／ＲＲＨ構成に関し、同じセルＩＤを共有する１つまたは複数の送信ポイントを場合によっては含み得る、ダウンリンク上のより強いセルのカバレージエリア中のＵＥは、送信ポイントの異なるセットからデータを受信し得る。したがって、これらの送信ポイントから送られたデータは、より強いセルから送られたデータのように見える必要があり得る。ＵＥ−ＲＳ／ＤＭ−ＲＳベースの送信の場合、シーケンスは、この目的のためにスクランブルされ得る。アップリンク上では、ＵＥは、より強いセルによって割り当てられたスクランブリングシーケンスを使用し得る。さらに、アップリンク制御は、ＵＥにより近い可能性があるようにデータを送信している送信ポイントによって受信され得る。
【００７４】
別の態様では、同じく主に、異なるセルＩＤを用いたマクロノード／ＲＲＨ構成に関して、セルは、異なるセルＩＤに対応する異なるロケーション上の同じアンテナのための複数のＣＳＩ−ＲＳを送信し得る。これは、隣接ｅＮＢがこのセルのＣＳＩ−ＲＳを隣接ｅＮＢのＣＳＩ−ＲＳとして広告することを可能にする。これは、たとえば、制御情報のためにマクロノードに接続するが、異なるセルＩＤをもつピコノード／ＲＲＨのＣＳＩ−ＲＳから測定されるときにフィードバックチャネルを必要とするＲｅｌ−１０のＵＥの場合、有用であり得る。ピコノード／ＲＲＨは、それ自身のセルＩＤに基づいたスクランブリングを使用したそれ自体のＣＳＩ−ＲＳに加えて、マクロセルＩＤに対応するスクランブリングシーケンスを使用したＣＳＩ−ＲＳを送信し得る。
【００７５】
別の態様では、同じセルＩＤを共有する複数のＲＲＨが同時にＵＥ−ＲＳを使用してデータを送信するときパイロットを独立にするために、所与のセルＩＤについてのＵＥ−ＲＳ／ＤＭ−ＲＳスクランブリングシーケンスの数を増加させることが有益であり得る。ＵＥ−ＲＳ／ＤＭＲＳのスクランブリングシーケンスは、同じシーケンスが互いに遠いＲＲＨによって使用される可能性が最も高いように、割り当てられるべきである。より一般には、使用されるスクランブリングシーケンスは、同じパイロットスクランブリングを有するＳＦＮの影響を低減するように、セルおよびＲＲＨにわたって計画され得る。
【００７６】
別の態様では、セルエッジにあるＲＲＨは、１つよりも多いセルのための範囲拡大／データ送信を実行し得る。近隣セルが衝突ＣＲＳを有するとき、これは簡単である。たとえば、ＲＲＨがＣＲＳを送信しない場合、ＲＲＨは、他のリソース上で第２のｅＮＢのＣＲＳロケーションに基づいて、または他のＵＥなどについてレートマッチングしながら、ＵＥの１つのセット（たとえば、第１のセルに接続されたＵＥ）について１つのｅＮＢのＣＲＳロケーションに対応するいくつかのリソース上でレートマッチングすることができる。代替的に、ＲＲＨは、１つのセルＩＤに対応するＣＲＳを送信することはできるが、第１のセルＩＤを使用してセルのＭＢＳＦＮサブフレーム上の第２のセルのＵＥにデータを送信することができる。
【００７７】
さらなる態様では、ＣＳＩ−ＲＳポートのＵＥ固有構成に関して、ＬＴＥにおけるＲｅｌ−１０に同意したＣＳＩ−ＲＳパターンは、マクロノード／ＲＲＨ構成全体にわたってＣＳＩ−ＲＳパターンを慎重に割り当てることによって、ＵＥのＣＳＩ推定精度を改善するために活用され得る。これが、同じセルＩＤを用いたマクロノード／ＲＲＨ構成と異なるセルＩＤを用いたマクロノード／ＲＲＨ構成との両方の場合に可能であることを諒解されたい。
【００７８】
図１０は、ワイヤレス通信の方法のフローチャート１０００である。本方法は、マクロノードおよびマクロノードに結合した複数の地理的に動かされたリモートラジオヘッド（ＲＲＨ）のカバレージエリア内での制御送信とデータ送信との分離を可能にする。マクロノードは、ＲＲＨとともに、複数の送信／受信ポイント（ＴｘＰ）またはポイントと考えられ得る。したがって、制御送信とデータ送信との分離は、ＴｘＰの潜在的に異なるセットから、さらにはすべてのＴｘＰからのＣＲＳ送信に基づいて制御情報が送信される一方で、データ送信のためにＵＥを少なくとも１つのＴｘＰと関連付けることを可能にする。これは、すべてのＴｘＰについて制御送信を潜在的に共通のままにしながら、異なるＴｘＰ上でのデータ送信のためのセル分割を可能にする。本方法はｅＮＢによって実行され得る。
【００７９】
ステップ１００２において、ポイントの第１のサブセットからＵＥに共通基準信号（ＣＲＳ）とともに制御情報を送信する。ＣＲＳは、あらゆるダウンリンクサブフレーム中で、および周波数領域のあらゆるリソースブロック中で送信され得、したがってセル帯域幅全体をカバーする。ＵＥは、送信モード７、８または９の場合の物理マルチキャストチャネル（ＰＭＣＨ）およびＰＤＳＣＨを除いて、ダウンリンク物理チャネルのコヒーレント復調のためのチャネル推定のためにＣＲＳを使用し得る。ＵＥはまた、チャネル状態情報（ＣＳＩ）を収集するためにＣＲＳを使用し得る。また、ＣＲＳに関するＵＥ測定値は、セル選択およびハンドオーバ決定のための基礎として使用され得る。
【００８０】
ステップ１００４において、ポイントの第２のサブセットからＵＥ固有基準信号（たとえば、復調基準信号（ＤＭ−ＲＳ））に基づいてＵＥにデータを送る。ＤＭ−ＲＳは、送信モード７、８、または９におけるＰＤＳＣＨチャネル推定のためにＵＥによって使用されることが意図される。これらの基準信号は、指定されたＵＥまたはＵＥの固有の指定されたサブセットによってチャネル推定のために使用されることを意図されているので、これらの基準信号は「ＵＥ固有」である。したがって、ＵＥ固有基準信号は、指定された（１つまたは複数の）ＵＥへのＰＤＳＣＨ送信のために割り当てられたリソースブロック内でのみ送信される。
【００８１】
図１０を参照すると、ポイントの第１のサブセットは同じセル識別子を有し得、したがって、各々は同じ制御情報およびＣＲＳを送信し得る。代替的に、複数のポイント中の指定されたポイントは、複数のポイント中の他のポイントとは異なるセル識別子を有し得る。したがって、一態様では、第２の制御情報および第２のＣＲＳは、指定されたポイントから送信され得、指定されたポイントはポイントの第１のサブセット中にない。
【００８２】
さらに図１０を参照すると、制御情報は、周波数分割多重（ＦＤＭ）制御チャネルまたはリレーチャネルを使用して送信され得る。リレーチャネルはリレー物理ダウンリンク制御チャネル（Ｒ−ＰＤＣＣＨ）であり得る。さらに、ポイントの第１のサブセットはマクロノードおよび０個以上のＲＲＨを含み得、ポイントの第２のサブセットはマクロノードおよび／または１つまたは複数のＲＲＨを含み得る。
【００８３】
ステップ１００６において、ポイントの第２のサブセットからＵＥにチャネル状態情報基準信号（ＣＳＩ−ＲＳ）を送る。復調基準信号（ＤＭ−ＲＳ）がチャネル推定のために使用される場合、ＣＳＩ−ＲＳは、ＣＳＩを収集するためにＵＥによって使用されことを明確に意図される。たとえば、ＣＳＩ−ＲＳは送信モード９の場合に使用される。ＣＳＩ−ＲＳは著しくより低い時間／周波数密度を有し、したがって、ＣＲＳと比較してより低いオーバーヘッドを暗示する。
【００８４】
ステップ１００８において、ＵＥからＣＳＩ−ＲＳに少なくとも部分的に基づくフィードバックを受信する。受信されたフィードバックは、プリコーディング行列インジケータ（ＰＭＩ）、ランクインデックス（ＲＩ）、またはチャネル品質インジケータ（ＣＱＩ）フィードバックのうちの少なくとも１つを備えるチャネル状態情報報告であり得る。さらに、受信されたＰＭＩ、ＲＩ、またはＣＱＩフィードバックは、ポイントの第２のサブセットからＵＥまでのチャネル状態とＵＥにおける干渉状態とに基づき得る。
【００８５】
図１１は、ワイヤレス通信の方法のフローチャート１１００である。本方法は、上記で説明した図１０の方法と同様に、マクロノードおよびマクロノードに結合した複数の地理的に動かされたリモートラジオヘッド（ＲＲＨ）のカバレージエリア内での制御送信とデータ送信との分離を可能にする。マクロノードは、ＲＲＨとともに、複数の送信／受信ポイント（ＴｘＰ）またはポイントと考えられ得る。図１１の方法はまた、相互依存ベースのフィードバックを可能し、ＵＥは、ＲＲＨからのＣＳＩ−ＲＳがない場合にマクロノード／ＲＲＨにチャネル状態情報を提供する。本方法はｅＮＢによって実行され得る。
【００８６】
ステップ１１０２において、ポイントの第１のサブセットからＵＥに共通基準信号（ＣＲＳ）とともに制御情報を送信する。上記で説明したように、ＵＥは、送信モード７、８または９の場合の物理マルチキャストチャネル（ＰＭＣＨ）およびＰＤＳＣＨを除いて、ダウンリンク物理チャネルのコヒーレント復調のためのチャネル推定のためにＣＲＳを使用し得る。ＵＥはまた、チャネル状態情報（ＣＳＩ）を収集するためにＣＲＳを使用し得る。また、ＣＲＳに関するＵＥ測定値は、セル選択およびハンドオーバ決定のための基礎として使用され得る。
【００８７】
ステップ１１０４において、ポイントの第２のサブセットからＵＥ固有基準信号（たとえば、復調基準信号（ＤＭ−ＲＳ））に基づいてＵＥにデータを送る。ＵＥ固有基準信号は「ＵＥ固有」であり、指定されたＵＥまたはＵＥの固有の指定されたサブセットによってチャネル推定のために使用されることを意図されている。したがって、ＵＥ固有基準信号は、指定された（１つまたは複数の）ＵＥへのＰＤＳＣＨ送信のために割り当てられたリソースブロック内でのみ送信される。
【００８８】
ステップ１１０６において、複数のポイントのうちの１つまたは複数のポイントにおいて前記ＵＥからサウンディング基準信号（ＳＲＳ）を受信する。ＳＲＳは、ｅＮＢが異なる周波数でのアップリンクチャネル状態を推定することを可能にするために、アップリンク上で送信され得る。次いで、チャネル状態推定値は、たとえば、アップリンクＰＵＳＣＨ送信（アップリンクチャネル依存スケジューリング）のためのリソースブロックを割り当てるために、ならびに、瞬時データレートなどの異なる送信パラメータとアップリンクマルチアンテナ送信に関係する異なるパラメータとを選択するために、ネットワークスケジューラによって使用され得る。ＳＲＳはまた、アップリンクタイミング推定のために、およびダウンリンク／アップリンクチャネル相互依存を仮定してダウンリンクチャネル状態を推定するために使用され得る。また、ステップ１１０６において、ＵＥからチャネル品質インジケータ（ＣＱＩ）フィードバックを受信する。
【００８９】
ステップ１１０８において、ｅＮＢは、受信されたＳＲＳに基づいてチャネル強度を判断し得る。チャネル強度は、送信側と受信機との間の距離に依存し得る。したがって、ｅＮＢは、１つまたは複数のポイントによって受信されたＳＲＳに基づいて、ＵＥからの１つまたは複数のポイントの各々におけるチャネル強度を判断し得る。
【００９０】
ステップ１１１０において、ｅＮＢは、ＵＥへの将来のデータ送信のための変調およびコーディング方式（ＭＣＳ：modulation and coding scheme）を判断する。ＭＣＳは、判断されたチャネル強度と、ＵＥから受信されたＣＱＩとに基づいて判断される。その後、ステップ１１１２において、ｅＮＢは、判断されたＭＣＳに基づいてＵＥへの送信のためのデータを変調し、コーディングする。
【００９１】
図１２は、ワイヤレス通信の方法のフローチャート１２００である。本方法は、上記で説明した図１０の方法と同様に、マクロノードおよびマクロノードに結合した複数の地理的に動かされたリモートラジオヘッド（ＲＲＨ）のカバレージエリア内での制御送信とデータ送信との分離を可能にする。マクロノードは、ＲＲＨとともに、複数の送信／受信ポイント（ＴｘＰ）またはポイントと考えられ得る。図１２の方法はまた、ポイントの極近傍にあるＵＥが、ＵＥ固有基準信号の使用なしにそのポイントからのＣＲＳに基づいてデータを受信することを可能にする。本方法はｅＮＢによって実行され得る。
【００９２】
ステップ１２０２において、ポイントのサブセットからＵＥに共通基準信号（ＣＲＳ）とともに制御情報を送信する。上記で説明したように、ＵＥは、送信モード７、８または９の場合の物理マルチキャストチャネル（ＰＭＣＨ）およびＰＤＳＣＨを除いて、ダウンリンク物理チャネルのコヒーレント復調のためのチャネル推定のためにＣＲＳを使用し得る。ＵＥはまた、チャネル状態情報（ＣＳＩ）を収集するためにＣＲＳを使用し得る。また、ＣＲＳに関するＵＥ測定値は、セル選択およびハンドオーバ決定のための基礎として使用され得る。
【００９３】
ステップ１２０４において、複数のポイントのうちの１つまたは複数のポイントにおいて前記ＵＥからサウンディング基準信号（ＳＲＳ）を受信する。ＳＲＳは、ｅＮＢが異なる周波数でのアップリンクチャネル状態を推定することを可能にするために、アップリンク上で送信され得る。次いで、チャネル状態推定値は、たとえば、アップリンクＰＵＳＣＨ送信（アップリンクチャネル依存スケジューリング）のためのリソースブロックを割り当てるために、ならびに、瞬時データレートなどの異なる送信パラメータとアップリンクマルチアンテナ送信に関係する異なるパラメータとを選択するために、ネットワークスケジューラによって使用され得る。ＳＲＳはまた、アップリンクタイミング推定のために、およびダウンリンク／アップリンクチャネル相互依存を仮定してダウンリンクチャネル状態を推定するために使用され得る。
【００９４】
ステップ１２０６において、ｅＮＢは、受信されたＳＲＳに基づいてチャネル強度を判断し得る。チャネル強度は、送信側と受信機との間の距離に依存し得る。したがって、ｅＮＢは、１つまたは複数のポイントによって受信されたＳＲＳに基づいて、ＵＥからの１つまたは複数のポイントの各々におけるチャネル強度を判断し得る。
【００９５】
ステップ１２０８において、ｅＮＢは、判断されたチャネル強度に基づいて、ＵＥが１つまたは複数のポイントのうちの少なくとも１つのポイントの極近傍にあるかどうかを判断する。そうであった場合、ｅＮＢは、ＵＥの極近傍にある少なくとも１つのポイントからＵＥにデータを送ることによって、リソースを節約し得、より効率的に動作し得る。
【００９６】
ステップ１２１０において、ステップ１２０８の結果に基づいて、ｅＮＢは続いて、ＵＥの極近傍にある少なくとも１つのポイントからのＣＲＳに基づいてＵＥにデータを送る。ここで、図１０および図１１の方法とは対照的に、データは、ＵＥ固有でない基準信号に基づいてＵＥに送られる。すなわち、基準信号は、指定されたＵＥまたはＵＥの固有の指定されたサブセットによってのチャネル推定を対象としていない。さらに、ＣＲＳに基づくデータ送信は、ＵＥの極近傍にないポイントからのデータ送信とは無関係な少なくとも１つのポイントからＵＥに送られる。したがって、セル分割は、ＵＥ固有基準信号の使用なしに達成され得る。
【００９７】
図１３は、ワイヤレス通信の方法のフローチャート１３００である。本方法は、マクロノードおよびマクロノードに結合された複数の地理的に動かされたリモートラジオヘッド（ＲＲＨ）のカバレージエリア内での制御送信とデータ送信との分離を可能にする。マクロノードは、ＲＲＨとともに、複数の送信／受信ポイント（ＴｘＰ）またはポイントと考えられ得る。したがって、制御送信とデータ送信との分離は、ＴｘＰの潜在的に異なるセットから、さらにはすべてのＴｘＰからのＣＲＳ送信に基づいて制御情報が送信される一方で、データ送信のためにＵＥを少なくとも１つのＴｘＰと関連付けることを可能にする。これは、すべてのＴｘＰについて制御送信を潜在的に共通のままにしながら、異なるＴｘＰ上でのデータ送信のためのセル分割を可能にする。本方法は、ＵＥによって実行され得る。
【００９８】
ステップ１３０２において、ＵＥは、ポイントの第１のサブセットから共通基準信号（ＣＲＳ）とともに制御情報を受信する。ポイントの第１のサブセットは、マクロノードおよび０個以上のＲＲＨを含み得る。上記で説明したように、ＵＥは、送信モード７、８または９の場合の物理マルチキャストチャネル（ＰＭＣＨ）およびＰＤＳＣＨを除いて、ダウンリンク物理チャネルのコヒーレント復調のためのチャネル推定のためにＣＲＳを使用し得る。ＵＥはまた、チャネル状態情報（ＣＳＩ）を収集するためにＣＲＳを使用し得る。また、ＣＲＳに関するＵＥ測定値は、セル選択およびハンドオーバ決定のための基礎として使用され得る。
【００９９】
ステップ１３０４において、ＵＥは、ポイントの第２のサブセットからＵＥ固有基準信号（たとえば、復調基準信号（ＤＭ−ＲＳ））に基づくデータを受信する。ポイントの第２のサブセットは、１つまたは複数のＲＲＨを含み得る。ＤＭ−ＲＳは、送信モード７、８、または９におけるＰＤＳＣＨのためのチャネル推定のためにＵＥによって使用されることが明確に意図される。これらの基準信号は、指定されたＵＥまたはＵＥの固有の指定されたサブセットによってチャネル推定のために使用されることを意図されているので、これらの基準信号は「ＵＥ固有」である。したがって、ＵＥ固有基準信号は、指定された（１つまたは複数の）ＵＥへのＰＤＳＣＨ送信のために割り当てられたリソースブロック内でのみ送信される。
【０１００】
ステップ１３０６において、ＵＥは、ポイントの第１のサブセットから識別子を受信し得る。ここで、複数のポイントは、異なるセル識別子で構成され得る。したがって、受信された識別子は、ポイントの第１のサブセットに関連するセル識別子とは異なり得る。したがって、ＵＥは、ポイントから受信したデータを復号するために、異なる識別子の知識を利用し得る。したがって、ステップ１３０８において、ＵＥは、ポイントの第１のサブセットから受信した識別子に基づいて、ポイントの第２のサブセットから受信したデータをデスクランブルする。
【０１０１】
ステップ１３１０において、ＵＥは、ポイントの第２のサブセットからチャネル状態情報基準信号（ＣＳＩ−ＲＳ）を受信する。上記で説明したように、復調基準信号（ＤＭ−ＲＳ）がチャネル推定のために使用される場合、ＣＳＩ−ＲＳは、ＣＳＩを収集するためにＵＥによって使用されることを明確に意図される。たとえば、ＣＳＩ−ＲＳは送信モード９の場合に使用される。ＣＳＩ−ＲＳは著しくより低い時間／周波数密度を有し、したがって、ＣＲＳと比較してより低いオーバーヘッドを暗示する。
【０１０２】
ステップ１３１２において、ＵＥは、受信されたＣＳＩ−ＲＳに少なくとも部分的に基づいてフィードバックを送信する。送信されたフィードバックは、プリコーディング行列インジケータ（ＰＭＩ）、ランクインデックス（ＲＩ）またはチャネル品質インジケータ（ＣＱＩ）フィードバックのうちの少なくとも１つを含むチャネル状態情報報告であり得る。さらに、送信されたＰＭＩ、ＲＩ、またはＣＱＩフィードバックは、ポイントの第２のサブセットからＵＥまでのチャネル／干渉状態と、ＵＥにおける干渉状態とに基づき得る。
【０１０３】
図１４は、例示的な装置１０６中の異なるモジュール／手段／コンポーネント間のデータフローを示す概念データフロー図１４００である。例示的な装置１０６は、マクロノードおよびマクロノードに結合された複数の地理的に動かされたリモートラジオヘッド（ＲＲＨ）など、複数の送信／受信ポイント（ＴｘＰ）またはポイントを含み得る。装置１０６は、たとえば、ＵＥフィードバック、サウンディング基準信号（ＳＲＳ）、およびチャネル品質インジケータ（ＣＱＩ）など、様々な信号１４１８を受信する受信モジュール１４０２を含む。装置はまた、チャネル強度決定モジュール１４０４、変調およびコーディング方式（ＭＣＳ）決定モジュール１４０６、変調及びコード化モジュール１４０８、制御、データ、及び基準信号（ＣＤＲ）生成モジュール１４１０、および近接決定モジュール１４１４など、受信モジュール１４０２によって受信された信号を処理する様々なモジュールを含む。装置は、たとえば、制御情報、データ、ＣＲＳ、ＵＥ−ＲＳ、およびＣＳＩ−ＲＳなど、様々な信号１４１６を送信するか、または送る送信モジュール１４１２をさらに含む。
【０１０４】
一態様では、ＣＤＲ生成モジュール１４１０は、制御情報を生成し得、送信モジュール１４１２を介してポイントの第１のサブセットからＵＥに共通基準信号（ＣＲＳ）とともに制御情報を送信し得る。ＣＤＲ生成モジュール１４１０はまた、データを生成し得、ＵＥ固有基準信号（たとえば、復調基準信号（ＤＭ−ＲＳ））に基づいて、送信モジュール１４１２を介してポイントの第２のサブセットからＵＥにデータを送り得る。ＣＤＲ生成モジュール１４１０はさらに、チャネル状態情報基準信号（ＣＳＩ−ＲＳ）を生成し得、送信モジュール１４１２を介してポイントの第２のサブセットからＵＥにＣＳＩ−ＲＳを送り得る。受信モジュール１４０２は、ＵＥからのＣＳＩ−ＲＳに少なくとも部分的に基づいて、チャネル状態情報報告など、フィードバックを受信し得る。チャネル状態情報報告は、プリコーディング行列インジケータ（ＰＭＩ）、ランクインデックス（ＲＩ）、またはチャネル品質インジケータ（ＣＱＩ）フィードバックを含み得る。
【０１０５】
別の態様では、受信モジュール１４０２は、複数のポイントのうちの１つまたは複数のポイントにおいて、ＵＥからサウンディング基準信号（ＳＲＳ）およびチャネル品質インジケータ（ＣＱＩ）フィードバックを受信し得る。受信モジュール１４０２は、受信されたＳＲＳをチャネル強度決定モジュール１４０４に送り得、チャネル強度決定モジュール１４０４は、受信されたＳＲＳに基づいて、ＵＥからの１つまたは複数のポイントの各々におけるチャネル強度を判断し得る。ＭＣＳ決定モジュール１４０６は、チャネル強度決定モジュール１４０４によって判断されたチャネル強度と、受信モジュール１４０２によって受信されたＣＱＩとに基づいて、ＵＥに送信されるべきデータの変調およびコーディング方式（ＭＣＳ）を判断し得る。その後、変調及びコード化モジュール１４０８は、ＭＣＳ決定モジュール１４０６によって判断されたＭＣＳに基づいて、送信されるべきデータを変調し、コーディングする。
【０１０６】
さらなる態様では、ＣＤＲ生成モジュール１４１０は、制御情報を生成し得、送信モジュール１４１２を介してポイントのサブセットからＵＥにＣＲＳとともに制御情報を送信し得る。さらに、受信モジュール１４０２は、複数のポイントのうちの１つまたは複数のポイントにおいてＵＥからサウンディング基準信号（ＳＲＳ）を受信し得る。受信モジュール１４０２は、受信されたＳＲＳをチャネル強度決定モジュール１４０４に送り得、チャネル強度決定モジュール１４０４は、受信されたＳＲＳに基づいて、ＵＥからの１つまたは複数のポイントの各々におけるチャネル強度を判断し得る。判断されたチャネル強度に基づいて、近接決定モジュール１４１４は、ＵＥが１つまたは複数のポイントのうちの少なくとも１つのポイントの極めて近傍にあるかどうかを判断し得る。その後、ＵＥが少なくとも１つのポイントの極めて近傍にあると判断された場合、ＣＤＲ生成モジュール１４１０は、送信モジュール１４１２を介して少なくとも１つのポイントからＵＥに、ＣＲＳに基づくデータ送信を送り得る。送信モジュール１４１２は、ＵＥの極めて近傍にないポイントからのデータ送信から独立した少なくとも１つのポイントからＵＥに、ＣＲＳに基づくデータ送信を送り得る。
【０１０７】
さらに別の態様では、ＣＤＲ生成モジュール１４１０は、第２の制御情報を生成し得、送信モジュール１４１２を介して指定されたポイントからＵＥに第２のＣＲＳとともに制御情報を送信し得る。指定されたポイントは、複数のポイント中にあるがポイントの第１のサブセット中にないポイントであり得る。また、指定されたポイントは、複数のポイント中の他のポイントとは異なるセル識別子を有し得る。
【０１０８】
図１５は、例示的な装置１０２中の異なるモジュール／手段／コンポーネント間のデータフローを示す概念データフロー図１５００である。例示的な装置１０２は、マクロノードおよびマクロノードに結合された複数の地理的に動かされたリモートラジオヘッド（ＲＲＨ）など、複数の送信／受信ポイント（ＴｘＰ）またはポイントと通信する。装置１０２は、たとえば、制御情報、データ、識別子、ＣＲＳ、ＵＥ−ＲＳ、およびＣＳＩ−ＲＳなど、様々な信号１５１２を受信する受信モジュール１５０２を含む。装置はまた、データデスクランブルモジュール１５０４、制御、データ及び基準信号（ＣＤＲ）処理モジュール１５０６、およびチャネル状態決定及びレポート生成モジュール１５０８など、受信モジュール１５０２によって受信された信号を処理する様々なモジュールを含む。装置は、たとえば、フィードバック情報を含む様々な信号１５１４を送信するか、または送る送信モジュール１５１０をさらに含む。
【０１０９】
一態様では、受信モジュール１５０２は、ポイントの第１のサブセットから共通基準信号（ＣＲＳ）とともに制御情報を受信し得る。受信モジュール１５０２はまた、ＵＥ固有基準信号（たとえば、復調基準信号（ＤＭ−ＲＳ））に基づいて、ポイントの第２のサブセットからデータを受信し得る。受信モジュール１５０２によって受信された制御情報、データ、または基準信号は、さらなる処理のためにＣＤＲ処理モジュール１５０６に送られ得る。次いで、ＣＤＲ処理モジュール１５０６は、チャネル状態を判断するために、制御情報、データ、および／または基準信号をチャネル状態決定及びレポート生成モジュール１５０８に送り得る。
【０１１０】
別の態様では、受信モジュール１５０２はポイントの第１のサブセットから識別子を受信し得、その識別子はポイントの第１のサブセットに関連するセル識別子とは異なる。したがって、データデスクランブルモジュール１５０４は、受信モジュール１５０２によって受信された識別子に基づいて、ポイントの第２のサブセットから受信されたデータをデスクランブルし得る。その後、データデスクランブルモジュール１５０４は、さらなる処理のために、デスクランブルされたデータをＣＤＲ処理モジュール１５０６に送り得る。
【０１１１】
さらなる態様では、受信モジュール１５０２は、ポイントの第２のサブセットからチャネル状態情報基準信号（ＣＳＩ−ＲＳ）を受信し得、受信したＣＳＩ−ＲＳをＣＤＲ処理モジュール１５０６に送る。ＣＤＲ処理モジュール１５０６から受信した情報に基づいて、チャネル状態決定及びレポート生成モジュール１５０８は、チャネル状態を判断し得、チャネル状態情報報告を生成する。チャネル状態情報報告は、プリコーディング行列インジケータ（ＰＭＩ）、ランクインデックス（ＲＩ）、またはチャネル品質インジケータ（ＣＱＩ）フィードバックのうちの少なくとも１つを含み得る。チャネル状態決定及びレポート生成モジュール１５０８はまた、ＣＤＲ処理モジュール１５０８からＣＳＩ−ＲＳを受信し得る。その後、チャネル状態決定及びレポート生成モジュール１５０８は、送信モジュール１５１０を介してＣＳＩ−ＲＳに基づいてチャネル状態情報報告を送信し得る。
【０１１２】
装置は、上述のフローチャート図１０〜図１３中のアルゴリズムのステップの各々を実行する追加のモジュールを含み得る。したがって、上述のフローチャート図１０〜図１３の中の各ステップは、１つのモジュールによって実行され得、装置は、それらのモジュールのうちの１つまたは複数を含み得る。それらのモジュールは、述べたプロセス／アルゴリズムを行うように特に構成された１つまたは複数のハードウェアコンポーネントであるか、述べたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１３】
図１６は、処理システム１６１４を採用する装置１０６’のためのハードウェア実装形態の例を示す図である。処理システム１６１４は、バス１６２４によって概略的に表されるバスアーキテクチャを用いて実装され得る。バス１６２４は、処理システム１６１４の特定のアプリケーションおよび全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１４０２、１４０４、１４０６、１４０８、１４１０、１４１２、１４１４と、コンピュータ可読媒体１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【０１１４】
処理システム１６１４はトランシーバ１６１０に結合され得る。トランシーバ１６１０は、１つまたは複数のアンテナ１６２０に結合される。トランシーバ１６１０は、伝送媒体上で様々な他の装置と通信するための手段を提供する。処理システム１６１４は、コンピュータ可読媒体１６０６に結合されたプロセッサ１６０４を含む。プロセッサ１６０４は、コンピュータ可読媒体１６０６上に記憶されたソフトウェアの実行を含む一般的な処理を担当する。ソフトウェアは、プロセッサ１６０４によって実行されたとき、処理システム１６１４に、特定の装置のための上記で説明した様々な機能を実行させる。コンピュータ可読媒体１６０６はまた、ソフトウェアを実行するときにプロセッサ１６０４によって操作されるデータを記憶するために使用され得る。処理システムは、モジュール１４０２、１４０４、１４０６、１４０８、１４１０、１４１２、および１４１４のうちの少なくとも１つをさらに含む。それらのモジュールは、プロセッサ１６０４中で動作し、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ｅＮＢ６１０のコンポーネントであり得、メモリ６７６、および／またはＴＸプロセッサ６１６と、ＲＸプロセッサ６７０と、コントローラ／プロセッサ６７５とのうちの少なくとも１つ、を含み得る。
【０１１５】
一構成では、ワイヤレス通信のための装置１０６／１０６’は、ポイントの第１のサブセットからユーザ機器（ＵＥ）に共通基準信号（ＣＲＳ）とともに制御情報を送信するための手段と、ＵＥ固有基準信号（たとえば、復調基準信号（ＤＭ−ＲＳ））に基づいてポイントの第２のサブセットからＵＥにデータ送信を送るための手段と、指定されたポイントから第２の制御情報および第２のＣＲＳを送信するための手段であって、指定されたポイントが複数のポイント中にあるがポイントの第１のサブセット中にないポイントであり、指定されたポイントが複数のポイント中の他のポイントとは異なるセル識別子を有する、送信するための手段と、ポイントの第２のサブセットからＵＥにチャネル状態情報基準信号（ＣＳＩ−ＲＳ）を送信するための手段と、ＣＳＩ−ＲＳに少なくとも部分的に基づいてＵＥからチャネル状態情報報告を受信するための手段であって、チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信するための手段と、複数のポイントのうちの１つまたは複数のポイントにおいてＵＥからサウンディング基準信号（ＳＲＳ）を受信するための手段と、１つまたは複数のポイントによって受信されたＳＲＳに基づいてＵＥからの１つまたは複数のポイントの各々におけるチャネル強度を判断するための手段と、ＵＥからチャネル品質インジケータ（ＣＱＩ）フィードバックを受信するための手段と、判断されたチャネル強度とＣＱＩとに基づいて変調およびコーディング方式（ＭＣＳ）を判断するための手段と、ＭＣＳに基づいてデータを変調し、コーディングするための手段とを含む。
【０１１６】
別の構成では、ワイヤレス通信のための装置１０６／１０６’は、ポイントのサブセットからユーザ機器（ＵＥ）に共通基準信号（ＣＲＳ）とともに制御情報を送信するための手段と、複数のポイントのうちの１つまたは複数のポイントにおいてＵＥからサウンディング基準信号（ＳＲＳ）を受信するための手段と、１つまたは複数のポイントによって受信されたＳＲＳに基づいて、ＵＥからの１つまたは複数のポイントの各々までのチャネル強度を判断するための手段と、判断されたチャネル強度に基づいてＵＥが１つまたは複数のポイントのうちの少なくとも１つのポイントの極めて近傍にあるかどうかを判断するための手段と、判断されたチャネル強度に基づいてＵＥが少なくとも１つのポイントの極めて近傍にあると判断されたとき、少なくとも１つのポイントからＵＥにＣＲＳに基づくデータ送信を送るための手段であって、ＣＲＳに基づくデータ送信が、ＵＥの極めて近傍にないポイントからのデータ送信から独立した少なくとも１つのポイントからＵＥに送られる、送るための手段とを含む。
【０１１７】
上述の手段は、上述の手段によって具陳される機能を実行するように構成された、装置１０６の上述のモジュールおよび／または装置１０６’の処理システム１６１４のうちの１つまたは複数であり得る。上記で説明したように、処理システム１６１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【０１１８】
図１７は、処理システム１７１４を採用する装置１０２’のためのハードウェア実装形態の例を示す図である。処理システム１７１４は、バス１７２４によって概略的に表されるバスアーキテクチャを用いて実装され得る。バス１７２４は、処理システム１７１４の特定のアプリケーションおよび全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１５０２、１５０４、１５０６、１５０８、１５１０と、コンピュータ可読媒体１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１１９】
処理システム１７１４はトランシーバ１７１０に結合され得る。トランシーバ１７１０は、１つまたは複数のアンテナ１７２０に結合される。トランシーバ１７１０は、伝送媒体上で様々な他の装置と通信するための手段を提供する。処理システム１７１４は、コンピュータ可読媒体１７０６に結合されたプロセッサ１７０４を含む。プロセッサ１７０４は、コンピュータ可読媒体１７０６上に記憶されたソフトウェアの実行を含む一般的な処理を担当する。ソフトウェアは、プロセッサ１７０４によって実行されたとき、処理システム１７１４に、特定の装置のための上記で説明した様々な機能を実行させる。コンピュータ可読媒体１７０６はまた、ソフトウェアを実行するときにプロセッサ１７０４によって操作されるデータを記憶するために使用され得る。処理システムは、モジュール１５０２、１５０４、１５０６、１５０８、および１５１０のうちの少なくとも１つをさらに含む。それらのモジュールは、プロセッサ１７０４中で動作し、コンピュータ可読媒体１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ＵＥ６５０のコンポーネントであり得、メモリ６６０、および／またはＴＸプロセッサ６６８と、ＲＸプロセッサ６５６と、コントローラ／プロセッサ６５９とのうちの少なくとも１つ、を含み得る。
【０１２０】
一構成では、ワイヤレス通信のための装置１０２／１０２’は、ポイントの第１のサブセットから共通基準信号（ＣＲＳ）とともに制御情報を受信するための手段と、ポイントの第２のサブセットからユーザ機器（ＵＥ）固有基準信号（たとえば、復調基準信号（ＤＭ−ＲＳ））に基づいて送信されたデータを受信するための手段と、ポイントの第２のサブセットからチャネル状態情報基準信号（ＣＳＩ−ＲＳ）を受信するための手段と、受信したＣＳＩ−ＲＳに基づいてチャネル状態情報報告を送信するための手段であって、チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、送信するための手段と、ポイントの第１のサブセットから識別子を受信するための手段であって、識別子がポイントの第１のサブセットに関連するセル識別子とは異なる、受信するための手段と、受信された識別子に基づいてポイントの第２のサブセットから受信されたデータをデスクランブルするため手段とを含む。上述の手段は、上述の手段によって具陳される機能を実行するように構成された、装置１０２の上述のモジュールおよび／または装置１０２’の処理システム１７１４のうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１２１】
開示したプロセスにおけるステップの特定の順序または階層は、例示的な手法の一例であることを理解されたい。設計上のプリファレンスに基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１２２】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［１］マクロノードおよび前記マクロノードに結合された少なくとも１つのリモートラジオヘッド（ＲＲＨ）の方法であって、前記マクロノードおよび前記少なくとも１つのＲＲＨが、地理的に動かされた複数のポイントを備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
を備える、方法。
［２］ポイントの前記第１のサブセットが同じセル識別子を有し、ポイントの前記第１のサブセット中の各ポイントが同じ制御情報およびＣＲＳを送信する、［１］に記載の方法。
［３］指定されたポイントから第２の制御情報および第２のＣＲＳを送信することであって、前記指定されたポイントが、前記複数のポイント中にあるがポイントの前記第１のサブセット中にないポイントであり、前記指定されポイントが、前記複数のポイント中の他のポイントとは異なるセル識別子を有する、送信すること
をさらに備える、［１］に記載の方法。
［４］ポイントの前記第２のサブセットから前記ＵＥにチャネル状態情報基準信号（ＣＳＩ−ＲＳ）を送信することをさらに備える、［１］に記載の方法。
［５］前記ＣＳＩ−ＲＳに少なくとも部分的に基づいて前記ＵＥからチャネル状態情報報告を受信することであって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信することをさらに備える、［４］に記載の方法。
［６］ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、［５］に記載の方法。
［７］前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、［１］に記載の方法。
［８］ポイントの前記第１のサブセットが前記マクロノードおよび０個以上のＲＲＨを備え、ポイントの前記第２のサブセットが前記マクロノードおよび／または１つまたは複数のＲＲＨを備える、［１］に記載の方法。
［９］前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと
前記判断されたチャネル強度および前記ＣＱＩに基づいて変調およびコーディング方式（ＭＣＳ）を判断することと、
前記ＭＣＳに基づいて前記データを変調およびコーディングすることと
をさらに備える、［１］に記載の方法。
［１０］マクロノードおよび前記マクロノードに結合された少なくとも１つのリモートラジオヘッド（ＲＲＨ）の方法であって、前記マクロノードおよび前記少なくとも１つのＲＲＨが、地理的に動かされた複数のポイントを備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる
を備える、方法。
［１１］マクロノードおよび前記マクロノードに結合された少なくとも１つのリモートラジオヘッド（ＲＲＨ）と通信するユーザ機器（ＵＥ）の方法であって、前記マクロノードおよび前記少なくとも１つのＲＲＨが、地理的に動かされた複数のポイントを備え、
ポイントの第１のサブセットから共通基準信号（ＣＲＳ）とともに制御情報を受信することと、
ポイントの第２のサブセットからＵＥ固有復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
を備える、方法。
［１２］ポイントの前記第１のサブセットが前記マクロノードおよび０個以上のＲＲＨを備え、ポイントの前記第２のサブセットが前記マクロノードおよび／または１つまたは複数のＲＲＨを備える、［１１］に記載の方法。
［１３］ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
をさらに備える、［１１］に記載の方法。
［１４］ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、［１１］に記載の方法。
［１５］地理的に動かされた複数のポイントを備えるワイヤレス通信のための装置であって、前記複数のポイントが、マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信するための手段と、
ポイントの第２のサブセットから前記ＵＥにＵＥ固有復調基準信号（ＤＭ−ＲＳ）に基づくデータ送信を送るための手段と
をさらに備える、装置。
［１６］ポイントの前記第１のサブセットが同じセル識別子を有し、ポイントの前記第１のサブセット中の各ポイントが同じ制御情報およびＣＲＳを送信する、［１５］に記載の装置。
［１７］指定されたポイントから第２の制御情報および第２のＣＲＳを送信するための手段であって、前記指定されたポイントが、前記複数のポイント中にあるがポイントの前記第１のサブセット中にないポイントであり、前記指定されポイントが、前記複数のポイント中の他のポイントとは異なるセル識別子を有する、送信するための手段
をさらに備える、［１５］に記載の装置。
［１８］ポイントの前記第２のサブセットから前記ＵＥにチャネル状態情報基準信号（ＣＳＩ−ＲＳ）を送信するための手段をさらに備える、［１５］に記載の装置。
［１９］前記ＣＳＩ−ＲＳに少なくとも部分的に基づいて前記ＵＥからチャネル状態情報報告を受信するための手段であって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信するための手段をさらに備える、［１８］に記載の装置。
［２０］ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、［１９］に記載の装置。
［２１］前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、［１５］に記載の装置。
［２２］ポイントの前記第１のサブセットが前記マクロノードおよび０個以上のＲＲＨを備え、ポイントの前記第２のサブセットが前記マクロノードおよび／または１つまたは複数のＲＲＨを備える、［１５］に記載の装置。
［２３］前記複数のポイントのうちの１つまたは複数のポイントにおいて前記ＵＥからサウンディング基準信号（ＳＲＳ）を受信するための手段と、
前記１つまたは複数のポイントによって受信された前記ＳＲＳに基づいて、前記ＵＥからの前記１つまたは複数のポイントの各々におけるチャネル強度を判断するための手段と、
前記ＵＥからチャネル品質インジケータ（ＣＱＩ）フィードバックを受信するための手段と、
前記判断されたチャネル強度および前記ＣＱＩに基づいて変調およびコーディング方式（ＭＣＳ）を判断するための手段と、
前記ＭＣＳに基づいて前記データを変調およびコーディングするための手段と
をさらに備える、［１５］に記載の装置。
［２４］地理的に動かされた複数のポイントを備えるワイヤレス通信のための装置であって、前記複数のポイントが、マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信するための手段と、
前記複数のポイントのうちの１つまたは複数のポイントにおいて前記ＵＥからサウンディング基準信号（ＳＲＳ）を受信するための手段と、
前記１つまたは複数のポイントによって受信された前記ＳＲＳに基づいて、前記ＵＥからの前記１つまたは複数のポイントの各々におけるチャネル強度を判断するための手段と、
前記判断されたチャネル強度に基づいて、前記ＵＥが前記１つまたは複数のポイントのうちの少なくとも１つのポイントの極めて近傍にあるかどうかを判断するための手段と、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送るための手段と、ここにおいてＣＲＳに基づく前記データ送信が、前記ＵＥの極めて近傍にないポイントからのデータ送信から独立した前記少なくとも１つのポイントから前記ＵＥに送られる
をさらに備える、装置。
［２５］ワイヤレス通信のための装置であって、前記装置が、地理的に動かされた複数のポイントと通信し、前記複数のポイントが、マクロノードおよび前記マクロノードに結合された複数のリモートラジオヘッド（ＲＲＨ）を備え、
ポイントの第１のサブセットから共通基準信号（ＣＲＳ）とともに制御情報を受信するための手段と、
ポイントの第２のサブセットからＵＥ固有復調基準信号（ＤＭ−ＲＳ）に基づいて送信されたデータを受信するための手段と、
ポイントの前記第２のサブセットからチャネル状態情報基準信号（ＣＳＩ−ＲＳ）を受信するための手段と、
前記受信したＣＳＩ−ＲＳに少なくとも部分的に基づいてチャネル状態情報報告を送信するための手段であって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信するための手段と
を備える、装置。
［２６］ポイントの前記第１のサブセットが前記マクロノードおよび０個以上のＲＲＨを備え、ポイントの前記第２のサブセットが前記マクロノードおよび／または１つまたは複数のＲＲＨを備える、［２５］に記載の装置。
［２７］ポイントの前記第１のサブセットから識別子を受信するための手段であって、前記識別子が、ポイントの前記第１のサブセットに関連したセル識別子とは異なる、受信するための手段と、
前記受信した識別子に基づいてポイントの前記第２のサブセットから前記受信したデータをデスクランブルするための手段と
をさらに備える、［２５］に記載の装置。
［２８］ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、［２５］に記載の装置。
［２９］地理的に動かされた複数のポイントを備えるワイヤレス通信のための装置であって、前記複数のポイントが、マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
を行うように構成された処理システム
をさらに備える、装置。
［３０］ポイントの前記第１のサブセットが同じセル識別子を有し、ポイントの前記第１のサブセット中の各ポイントが同じ制御情報およびＣＲＳを送信する、［２９］に記載の装置。
［３１］前記処理システムが、
指定されたポイントから第２の制御情報および第２のＣＲＳを送信することであって、前記指定されたポイントが、前記複数のポイント中にあるがポイントの前記第１のサブセット中にないポイントであり、前記指定されポイントが、前記複数のポイント中の他のポイントとは異なるセル識別子を有する、送信すること
を行うようにさらに構成された、［２９］に記載の装置。
［３２］前記処理システムが、ポイントの前記第２のサブセットから前記ＵＥにチャネル状態情報基準信号（ＣＳＩ−ＲＳ）を送信するようにさらに構成された、［２９］に記載の装置。
［３３］前記処理システムが、前記ＣＳＩ−ＲＳに少なくとも部分的に基づいて前記ＵＥからチャネル状態情報報告を受信することであって、前記チャネル状態情報報告が、プリコーディング行列インジケータ（ＰＭＩ）、ランクインデックス（ＲＩ）、またはチャネル品質インジケータ（ＣＱＩ）フィードバックのうちの少なくとも１つを備える、受信することを行うようにさらに構成された、［３２］に記載の装置。
［３４］ＰＭＩ、ＲＩ、またはＣＱＩフィードバックを備える前記受信されたチャネル状態情報報告が、ポイントの前記第２のサブセットから前記ＵＥまでのチャネル状態と、前記ＵＥにおける干渉状態とに基づく、［３３］に記載の装置。
［３５］前記制御情報が、周波数分割多重（ＦＤＭ）制御チャネルまたはリレー物理ダウンリンク制御チャネル（Ｒ−ＰＤＣＣＨ）のうちの少なくとも１つを使用して送信される、［２９］に記載の装置。
［３６］ポイントの前記第１のサブセットが前記マクロノードおよび０個以上のＲＲＨを備え、ポイントの前記第２のサブセットが前記マクロノードおよび／または１つまたは複数のＲＲＨを備える、［２９］に記載の装置。
［３７］前記処理システムが、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと、
前記判断されたチャネル強度および前記ＣＱＩに基づいて変調およびコーディング方式（ＭＣＳ）を判断することと、
前記ＭＣＳに基づいて前記データを変調およびコーディングすることと
を行うようにさらに構成された、［２９］に記載の装置。
［３８］地理的に動かされた複数のポイントを備えるワイヤレス通信のための装置であって、前記複数のポイントが、マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる
を行うように構成された処理システム
をさらに備える、装置。
［３９］ワイヤレス通信のための装置であって、前記装置が、地理的に動かされた複数のポイントと通信し、前記複数のポイントが、マクロノードおよび前記マクロノードに結合された複数のリモートラジオヘッド（ＲＲＨ）を備え、
ポイントの第１のサブセットから共通基準信号（ＣＲＳ）とともに制御情報を受信することと、
ポイントの第２のサブセットからＵＥ固有復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
を行うように構成された処理システム
を備える、装置。
［４０］ポイントの前記第１のサブセットが前記マクロノードおよび０個以上のＲＲＨを備え、ポイントの前記第２のサブセットが前記マクロノードおよび／または１つまたは複数のＲＲＨを備える、［３９］に記載の装置。
［４１］前記処理システムが、
ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
を行うようにさらに構成された、［３９］に記載の装置。
［４２］ＰＭＩ、ＲＩ、またはＣＱＩフィードバックを備える前記送信されたチャネル状態情報報告が、ポイントの前記第２のサブセットから前記ＵＥへのチャネル状態と、前記ＵＥにおける干渉状態とに基づく、［２５］に記載の装置。
［４３］地理的に動かされた複数のポイントと通信するためのコンピュータプログラム製品であって、前記複数のポイントが、マクロノードおよび前記マクロノードに結合された複数のリモートラジオヘッド（ＲＲＨ）を備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
のためのコードを備えるコンピュータ可読媒体を備える、コンピュータプログラム製品。
［４４］ポイントの前記第１のサブセットが同じセル識別子を有し、ポイントの前記第１のサブセット中の各ポイントが同じ制御情報およびＣＲＳを送信する、［４３］に記載のコンピュータプログラム製品。
［４５］ポイントの前記第１のサブセットが前記マクロノードおよび０個以上のＲＲＨを備え、ポイントの前記第２のサブセットが前記マクロノードおよび／または１つまたは複数のＲＲＨを備える、［４３］に記載のコンピュータプログラム製品。
［４６］前記コンピュータ可読媒体が、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記ＵＥからチャネル品質インジケータ（ＣＱＩ）フィードバックを受信することと、
前記判断されたチャネル強度および前記ＣＱＩに基づいて変調およびコーディング方式（ＭＣＳ）を判断することと、
前記ＭＣＳに基づいて前記データを変調およびコーディングすることと
のためのコードをさらに備える、［４３］に記載のコンピュータプログラム製品。
［４７］地理的に動かされた複数のポイントと通信するためのコンピュータプログラム製品であって、前記複数のポイントが、マクロノードおよび前記マクロノードに結合された複数のリモートラジオヘッド（ＲＲＨ）を備え、
ポイントのサブセットからユーザ機器（ＵＥ）に共通基準信号（ＣＲＳ）とともに制御情報を送信することと、
前記複数のポイントのうちの１つまたは複数のポイントにおいて前記ＵＥからサウンディング基準信号（ＳＲＳ）を受信することと、
前記１つまたは複数のポイントによって受信された前記ＳＲＳに基づいて、前記ＵＥからの前記１つまたは複数のポイントの各々におけるチャネル強度を判断することと、
前記判断されたチャネル強度に基づいて、前記ＵＥが前記１つまたは複数のポイントのうちの少なくとも１つのポイントの極めて近傍にあるかどうかを判断することと、
前記判断されたチャネル強度に基づいて前記ＵＥが前記少なくとも１つのポイントの極めて近傍にあると判断されたとき、前記少なくとも１つのポイントから前記ＵＥにＣＲＳに基づくデータ送信を送ることと、ここにおいてＣＲＳに基づく前記データ送信が、前記ＵＥの極めて近傍にないポイントからのデータ送信から独立した前記少なくとも１つのポイントから前記ＵＥに送られる
のためのコードを備えるコンピュータ可読媒体を備える、コンピュータプログラム製品。
［４８］地理的に動かされた複数のポイントと通信するためのコンピュータプログラム製品であって、前記複数のポイントが、マクロノードおよび前記マクロノードに結合された複数のリモートラジオヘッド（ＲＲＨ）を備え、
ポイントの第１のサブセットから共通基準信号（ＣＲＳ）とともに制御情報を受信することと、
ポイントの第２のサブセットから復調基準信号（ＤＭ−ＲＳ）に基づいて送信されたデータを受信することと、
ポイントの前記第２のサブセットからチャネル状態情報基準信号（ＣＳＩ−ＲＳ）を受信することと、
前記受信したＣＳＩ−ＲＳに少なくとも部分的に基づいてチャネル状態情報報告を送信することであって、前記チャネル状態情報報告がプリコーディング行列インジケータ（ＰＭＩ）、ランクインデックス（ＲＩ）、またはチャネル品質インジケータ（ＣＱＩ）フィードバックのうちの少なくとも１つを備える、送信することと
のためのコードを備えるコンピュータ可読媒体を備える、コンピュータプログラム製品。
［４９］ポイントの前記第１のサブセットが前記マクロノードおよび０個以上のＲＲＨを備え、ポイントの前記第２のサブセットが前記マクロノードおよび／または１つまたは複数のＲＲＨを備える、［４８］に記載のコンピュータプログラム製品。
［５０］前記コンピュータ可読媒体が、
ポイントの前記第１のサブセットから識別子を受信することであって、前記識別子が、ポイントの前記第１のサブセットに関連したセル識別子とは異なる、受信することと、
前記受信した識別子に基づいてポイントの前記第２のサブセットから前記受信したデータをデスクランブルすることと
のためのコードをさらに備える、コンピュータプログラム製品。
【図１】
2018014724.tif 000003
【図２】
2018014724.tif 000004
【図３】
2018014724.tif 000005
【図４】
2018014724.tif 000006
【図５】
2018014724.tif 000007
【図６】
2018014724.tif 000008
【図７】
2018014724.tif 000009
【図８】
2018014724.tif 000010
【図９】
2018014724.tif 000011
【図１０】
2018014724.tif 000012
【図１１】
2018014724.tif 000013
【図１２】
2018014724.tif 000014
【図１３】
2018014724.tif 000015
【図１４】
2018014724.tif 000016
【図１５】
2018014724.tif 000017
【図１６】
2018014724.tif 000018
【図１７】
2018014724.tif 000019
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
マクロノードおよび前記マクロノードに結合された少なくとも１つのリモートラジオヘッド（ＲＲＨ）の方法であって、前記マクロノードおよび前記少なくとも１つのＲＲＨが、地理的に動かされた複数のポイントを備え、
ポイントの第１のサブセットからユーザ機器（ＵＥ）に共通基準信号（ＣＲＳ）とともに制御情報を送信することと、
ポイントの第２のサブセットから前記ＵＥにＵＥ固有復調基準信号（ＤＭ−ＲＳ）に基づくデータ送信を送ることと
を備える、方法。